(57)【要約】      （修正有）【課題】光ディスクプレーヤにおける不正なサービス利用をより効果的に排除する。【解決手段】光ディスク識別情報、リデンプションコード（認証用情報）さらには光ディスクプレーヤ１０の機器識別情報に基づくサーバ７０による認証を条件として条件付きサービスを提供する光ディスクプレーヤ１０において、外部機器を用いてサービスの提供を開始するときに、リデンプションコードの入力を促すオブジェクトをモニタ３０に表示する。【選択図】図１
2016091472.tif 000002
【特許請求の範囲】
【請求項１】
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報をサーバに出力する情報出力部と、
上記サーバから認証結果を取得する認証結果取得部と、
上記認証結果が上記光ディスク識別情報および上記認証用情報が認証されたことを示す場合に、上記条件付きサービスを提供するサービス提供部と、
表示装置にオブジェクトを出力するオブジェクト出力部と、を備え、
上記サービス提供部が外部機器を用いた上記条件付きサービスを提供開始するときに、上記オブジェクト出力部は、上記認証用情報の入力を促すオブジェクトを上記表示装置に出力することを特徴とする光ディスクプレーヤ。
【請求項２】
上記情報出力部は、当該光ディスクプレーヤを他の光ディスクプレーヤから識別する情報である機器識別情報をさらに出力し、
上記サービス提供部は、上記認証結果が上記光ディスク識別情報、上記認証用情報、および上記機器識別情報が認証されたことを示す場合に、上記条件付きサービスを提供することを特徴とする請求項１に記載の光ディスクプレーヤ。
【請求項３】
当該光ディスクプレーヤと通信可能な外部機器を検出する外部機器検出部をさらに備え、
上記外部機器検出部が上記外部機器を検出したときに、上記オブジェクト出力部は、上記認証用情報の入力を促すオブジェクトを上記表示装置に表示させることを特徴とする請求項１または２に記載の光ディスクプレーヤ。
【請求項４】
上記外部機器検出部が検出した１または複数の外部機器のうち、上記サービス提供部が上記条件付きサービスを提供するために用いる外部機器を指定する操作を受け付ける操作受付部をさらに備え、
上記操作受付部が上記外部機器を指定する操作を受け付けた場合、上記オブジェクト出力部は、上記認証用情報の入力を促すオブジェクトを上記表示装置に表示させることを特徴とする請求項３に記載の光ディスクプレーヤ。
【請求項５】
対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得部と、
上記情報取得部が取得した光ディスク識別情報および認証用情報を認証する認証部と、
上記認証部の認証結果を出力する認証結果出力部と、を備えることを特徴とするサーバ。
【請求項６】
上記情報取得部は、光ディスクプレーヤを他の光ディスクプレーヤから識別する情報である機器識別情報をさらに取得し、
上記認証部は、上記情報取得部が取得した機器識別情報をさらに認証することを特徴とする請求項５に記載のサーバ。
【請求項７】
上記認証部は、上記情報取得部が認証用情報を取得した時点が、所定の期間に含まれているか否かを認証することを特徴とする請求項５または６に記載のサーバ。
【請求項８】
光ディスク識別情報に対して、１または複数の認証用情報が予め関連付けられている、または、認証用情報に対して、１または複数の光ディスク識別情報が予め関連付けられていることを特徴とする請求項５〜７の何れか１項に記載のサーバ。
【請求項９】
上記認証を条件とする条件付きサービスを提供する回数および期間の少なくとも何れかを管理するサービス管理部をさらに備えることを特徴とする請求項５〜８の何れか１項に記載のサーバ。
【請求項１０】
上記条件付きサービスには、コンテンツのコピー、ボーナス要素を持つコンテンツ、アプリ、カレンダーの利用、付加的サービスに参加する権利の取得、およびギフトの取得の少なくとも何れかが含まれていることを特徴とする請求項５〜９の何れか１項に記載のサーバ。
【請求項１１】
光ディスクプレーヤおよびサーバを備えるサービス提供システムであって、
上記光ディスクプレーヤは、
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報をサーバに出力する情報出力部と、
上記サーバから認証結果を取得する認証結果取得部と、
上記認証結果が上記光ディスク識別情報および上記認証用情報が認証されたことを示す場合に、上記条件付きサービスを提供するサービス提供部と、
表示装置にオブジェクトを出力するオブジェクト出力部と、を備え、
上記サービス提供部が外部機器を用いた上記条件付きサービスを提供開始するときに、上記オブジェクト出力部は、上記認証用情報の入力を促すオブジェクトを上記表示装置に表示させ、
上記サーバは、
上記光ディスク識別情報および上記認証用情報を取得する情報取得部と、
上記情報取得部が取得した光ディスク識別情報および認証用情報を認証する認証部と、
上記認証部の認証結果を上記光ディスクプレーヤに出力する認証結果出力部と、を備えることを特徴とするサービス提供システム。
【請求項１２】
対象の光ディスクから、当該対象の光ディスクを他の光ディスクから識別する情報である光ディスク識別情報を取得する光ディスク識別情報取得工程と、
認証を条件とする条件付きサービスを提供するための認証用情報を取得する認証用情報取得工程と、
上記光ディスク識別情報および上記認証用情報の認証をサーバに出力する情報出力工程と、
上記サーバから認証結果を取得する認証結果取得工程と、
上記認証結果が上記光ディスク識別情報および上記認証用情報が認証されたことを示す場合に、上記条件付きサービスを提供するサービス提供工程と、
表示装置にオブジェクトを出力するオブジェクト出力工程と、を含み、
上記サービス提供工程において外部機器を用いた上記条件付きサービスを提供開始するときに、上記オブジェクト出力工程において、上記認証用情報の入力を促すオブジェクトを上記表示装置に表示させることを特徴とするサービス提供方法。
【請求項１３】
対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得工程と、
上記情報取得工程において取得した光ディスク識別情報および認証用情報を認証する認証工程と、
上記認証工程における認証結果を出力する認証結果出力工程と、を含むことを特徴とするサービス提供方法。
【請求項１４】
光ディスクプレーヤとしてコンピュータを機能させるための制御プログラムであって、上記コンピュータを、
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報をサーバに出力する情報出力部と、
上記サーバから認証結果を取得する認証結果取得部と、
上記認証結果が上記光ディスク識別情報および上記認証用情報が認証されたことを示す場合に、上記条件付きサービスを提供するサービス提供部と、
表示装置にオブジェクトを出力するオブジェクト出力部と、として機能させ、
上記サービス提供部が外部機器を介する上記条件付きサービスを提供開始するときに、上記オブジェクト出力部は、上記認証用情報の入力を促すオブジェクトを上記表示装置に表示させることを特徴とする制御プログラム。
【請求項１５】
サーバとしてコンピュータを機能させるための制御プログラムであって、上記コンピュータを、
対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得部と、
上記情報取得部が取得した光ディスク識別情報および認証用情報を認証する認証部と、
上記認証部の認証結果を出力する認証結果出力部と、として機能させるための制御プログラム。
【発明の詳細な説明】
【技術分野】
【０００１】
本発明は、光ディスクを再生する光ディスクプレーヤ、当該光ディスクと通信するサーバ、当該光ディスクおよびサーバを備えるサービス提供システム、当該光ディスクプレーヤまたはサーバが提供するサービスのサービス提供方法、および光ディスクプレーヤおよびサーバのプログラムに関する。
【背景技術】
【０００２】
映画などの映像データ、音楽などの音声データなどに代表されるコンテンツは、ＣＤ（Compact Disc）、ＤＶＤ（Digital Versatile Disc）、ＢＤ（Blu-ray Disc（登録商標））といった光ディスク記録媒体（以下、光ディスク）に格納された状態で販売されたり、インターネット経由でデータを提供することにより販売されたりしている。
【０００３】
光ディスクに格納されているコンテンツを視聴する場合、従来では、インターネットに接続されていない光ディスクプレーヤを用いて光ディスクに格納されたコンテンツを視聴する態様が一般的であった。しかし、様々な電子機器がインターネットに接続されるようになった現在、インターネットに接続された光ディスクプレーヤ又はＰＣ（Personal Computer）を用いて光ディスクに格納されたコンテンツを視聴する態様が普及している。
【０００４】
このように、インターネット接続された光ディスクプレーヤ又はＰＣを用いて光ディスクに格納されたコンテンツを視聴する態様の普及に伴い、光ディスクに格納されたコンテンツに関連するサービスを、サーバから、インターネット経由で光ディスクプレーヤ又はＰＣに提供する態様も普及している。このようにサービスを提供する場合においては、不正なサービスの利用を排除可能な技術が求められる。情報処理装置から情報記録媒体ＩＤおよびサービスＩＤを受信するという前提（構成）において不正なサービス利用を排除可能な技術として、例えば特許文献１に記載のサービス提供サーバがある。
【先行技術文献】
【特許文献】
【０００５】
【特許文献１】特開２００５−２２３５０４号公報（２００５年８月１８日公開）
【発明の概要】
【発明が解決しようとする課題】
【０００６】
特許文献１に記載の技術では、不正なサービスの利用であるか否かを判定するために参照される情報が、情報記録媒体ＩＤのみであるため、不正利用防止の観点から改善の余地があった。
【０００７】
この課題を解決するために、例えば、リデンプションコード等と呼ばれる認証用情報を更に参照して、不正なサービスの利用であるか否かを判定することが考えられるが、このような構成の場合であっても、正規のユーザがリデンプションコード等を認証した後、第三者によって不正にサービスを利用する場合が考えられる。
【０００８】
本発明は、上記問題を鑑みてなされたものであり、その目的は、不正なサービス利用をより効果的に排除することができる技術を提供することにある。
【課題を解決するための手段】
【０００９】
上記の課題を解決するために、本発明の一態様に係る光ディスクプレーヤは、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報をサーバに出力する情報出力部と、上記サーバから認証結果を取得する認証結果取得部と、上記認証結果が上記光ディスク識別情報および上記認証用情報が認証されたことを示す場合に、上記条件付きサービスを提供するサービス提供部と、表示装置にオブジェクトを出力するオブジェクト出力部と、を備え、上記サービス提供部が外部機器を用いた上記条件付きサービスを提供開始するときに、上記オブジェクト出力部は、上記認証用情報の入力を促すオブジェクトを上記表示装置に出力する。
【００１０】
また、上記の課題を解決するために、本発明の一態様に係るサーバは、対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得部と、上記情報取得部が取得した光ディスク識別情報および認証用情報を認証する認証部と、上記認証部の認証結果を出力する認証結果出力部と、を備える。
【００１１】
また、上記の課題を解決するために、本発明の一態様に係るサービス提供システムは、光ディスクプレーヤおよびサーバを備えるサービス提供システムであって、上記光ディスクプレーヤは、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報をサーバに出力する情報出力部と、上記サーバから認証結果を取得する認証結果取得部と、上記認証結果が上記光ディスク識別情報および上記認証用情報が認証されたことを示す場合に、上記条件付きサービスを提供するサービス提供部と、表示装置にオブジェクトを出力するオブジェクト出力部と、を備え、上記サービス提供部が外部機器を用いた上記条件付きサービスを提供開始するときに、上記オブジェクト出力部は、上記認証用情報の入力を促すオブジェクトを上記表示装置に表示させ、上記サーバは、上記光ディスク識別情報および上記認証用情報を取得する情報取得部と、上記情報取得部が取得した光ディスク識別情報および認証用情報を認証する認証部と、上記認証部の認証結果を上記光ディスクプレーヤに出力する認証結果出力部と、を備える。
【００１２】
また、上記の課題を解決するために、本発明の一態様に係るサービス提供方法は、対象の光ディスクから、当該対象の光ディスクを他の光ディスクから識別する情報である光ディスク識別情報を取得する光ディスク識別情報取得工程と、認証を条件とする条件付きサービスを提供するための認証用情報を取得する認証用情報取得工程と、上記光ディスク識別情報および上記認証用情報の認証をサーバに出力する情報出力工程と、上記サーバから認証結果を取得する認証結果取得工程と、上記認証結果が上記光ディスク識別情報および上記認証用情報が認証されたことを示す場合に、上記条件付きサービスを提供するサービス提供工程と、表示装置にオブジェクトを出力するオブジェクト出力工程と、を含み、上記サービス提供工程において外部機器を用いた上記条件付きサービスを提供開始するときに、上記オブジェクト出力工程において、上記認証用情報の入力を促すオブジェクトを上記表示装置に表示させる。
【００１３】
また、上記の課題を解決するために、本発明の一態様に係るサービス提供方法は、対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得工程と、上記情報取得工程において取得した光ディスク識別情報および認証用情報を認証する認証工程と、上記認証工程における認証結果を出力する認証結果出力工程と、を含む。
【００１４】
また、上記の課題を解決するために、本発明の一態様に係る制御プログラムは、光ディスクプレーヤとしてコンピュータを機能させるための制御プログラムであって、上記コンピュータを、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報をサーバに出力する情報出力部と、上記サーバから認証結果を取得する認証結果取得部と、上記認証結果が上記光ディスク識別情報および上記認証用情報が認証されたことを示す場合に、上記条件付きサービスを提供するサービス提供部と、表示装置にオブジェクトを出力するオブジェクト出力部と、として機能させ、上記サービス提供部が外部機器を介する上記条件付きサービスを提供開始するときに、上記オブジェクト出力部は、上記認証用情報の入力を促すオブジェクトを上記表示装置に表示させる。
【００１５】
また、上記の課題を解決するために、本発明の一態様に係る制御プログラムは、サーバとしてコンピュータを機能させるための制御プログラムであって、上記コンピュータを、対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得部と、上記情報取得部が取得した光ディスク識別情報および認証用情報を認証する認証部と、上記認証部の認証結果を出力する認証結果出力部と、として機能させる。
【発明の効果】
【００１６】
本発明の一態様によれば、不正なサービス利用をより効果的に排除することができる。
【図面の簡単な説明】
【００１７】
【図１】本発明の実施形態１に係るサービス提供システムの構成を示す概略図である。
【図２】本発明の実施形態１における光ディスクプレーヤの構成を示す図であり、（ａ）は、光ディスクプレーヤのハードウェア構成を示すブロック図であり、（ｂ）は、光ディスクプレーヤが備えているリモコンの外観図である。
【図３】本発明の実施形態１における光ディスクプレーヤのＣＰＵによって実現される主要な機能を示す機能ブロック図である。
【図４】本発明の実施形態１におけるサーバのハードウェア構成を示すブロック図である。
【図５】本発明の実施形態１におけるサーバのＣＰＵによって実現される主要な機能を示す機能ブロック図である。
【図６】本発明の実施形態１における光ディスクプレーヤの処理の流れを示すフローチャートである。
【図７】本発明の実施形態１におけるサーバのサービス管理部が管理するサービス管理テーブルの例である。
【図８】本発明の実施形態１における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例であり、（ｄ）は、モニタに表示させる映像のさらに他の例である。
【図９】本発明の実施形態１におけるサーバの処理の流れを示すフローチャートである。
【図１０】本発明の実施形態１における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例である。
【図１１】本発明の実施形態２における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例である。
【図１２】本発明の実施形態３における光ディスクプレーヤの表示制御部がモニタに提供する映像の例である。
【図１３】本発明の実施形態４におけるサービス管理テーブルの例である。
【図１４】本発明の実施形態４における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例である。
【図１５】本発明の実施形態５におけるサービス管理テーブルの例である。
【図１６】本発明の実施形態５における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例である。
【図１７】本発明の実施形態６における光ディスクプレーヤの表示制御部がモニタに表示させる映像の例である。
【図１８】本発明の実施形態７における光ディスクプレーヤのＣＰＵによって実現される主要な機能を示す機能ブロック図である。
【図１９】本発明の実施形態７におけるサーバのＣＰＵによって実現される主要な機能を示す機能ブロック図である。
【図２０】本発明の実施形態７における光ディスクプレーヤの処理の流れを示すフローチャートである。
【図２１】本発明の実施形態７におけるサーバの処理の流れを示すフローチャートである。
【図２２】本発明の実施形態７における光ディスクプレーヤの表示制御部がモニタに表示させる映像の例であり、（ａ）は、モニタに表示させる映像の一例であり、（ｂ）は、モニタに表示させる映像の他の例であり、（ｃ）は、モニタに表示させる映像のさらに他の例であり、（ｄ）は、モニタに表示させる映像のさらに他の例である。
【発明を実施するための形態】
【００１８】
〔実施形態１〕
以下、本発明の第１の実施形態について、図１〜図１０を参照して詳細に説明する。なお、以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１９】
（サービス提供システム１の概略）
図１は、本実施形態に係るサービス提供システム１の構成を示す概略図である。図１に示すように、サービス提供システム１は、光ディスクプレーヤ１０、モニタ（表示装置）３０、ルータ４０、ＰＣ（Personal Computer）５０、携帯端末６０、サーバ（外部サーバ）７０、および携帯端末８０を含んでいる。ルータ４０のＷＡＮ（Wide Area Network）側は、ネットワーク９０に接続されており、サーバ７０および携帯端末８０と通信可能である。また、ルータ４０のＬＡＮ（Local Area Network）側には、光ディスクプレーヤ１０、ＰＣ５０、および携帯端末６０が接続されている。言い換えれば、ルータ４０のＬＡＮ側には、家庭内で運用するホームネットワークが構築されている。
【００２０】
光ディスクプレーヤ１０は、上記ＬＡＮを構成する端末の１つであり、ルータ４０に接続されている。換言すると、光ディスクプレーヤ１０は、ルータ４０を介してネットワーク９０に接続されている。なお、図１において、実線の矢印は、有線接続による機器間の接続を表し、破線の矢印は、無線接続による機器間の接続を表す。図１に示す各機器の接続の態様（有線又は無線）は、接続の態様の一例である。光ディスクプレーヤ１０の詳細な構成については、後述する。
【００２１】
また、光ディスクプレーヤ１０は、従来の光ディスクプレーヤ（例えばＤＶＤプレーヤおよびＢＤプレーヤ）と同様に、装填された光ディスク（対象の光ディスク）２０に格納されているコンテンツを再生し、再生した映像を表す映像信号を、ＨＤＭＩ（High Definition Multimedia Interface、登録商標）ケーブル２１を介して接続されたモニタ３０へ提供する。
【００２２】
また、光ディスクプレーヤ１０は、光ディスク２０を他の光ディスクから識別する情報であるディスクＩＤ（光ディスク識別情報）と、条件付きサービスを提供するためのリデンプションコード（認証用情報）とを取得し、サーバ７０にディスクＩＤおよびリデンプションコードを出力する。そして、光ディスクプレーヤ１０は、サーバ７０から取得した認証結果がディスクＩＤおよびリデンプションコードが認証されたことを示す場合、通常サービスに加えて条件付きサービスを提供する。なお、以下において、通常サービスとは、提供するためにサーバ７０の認証を条件としないサービスを意味する。一方、条件付きサービスとは、提供するためにサーバ７０による認証を条件とするサービスを意味する。通常サービスの具体例および条件付きサービスの具体例については、後述する。
【００２３】
モニタ３０は、光ディスクプレーヤ１０からＨＤＭＩケーブル２１を介して取得した映像信号が表す映像を表示する。また、本実施形態において、モニタ３０は、放送を受信するチューナー部を備えていないものとして説明するが、チューナー部を備えておりテレビジョン受像機として機能可能なものであってもよい。また、モニタ３０は、ルータ４０に接続されており、上記ＬＡＮを構成する端末の１つであってもよい。
【００２４】
ＰＣ５０は、ルータ４０を介して取得したコンテンツを再生し、再生した映像を表す映像信号をディスプレイ装置（不図示）に出力する。なお、コンテンツを再生する場合、当該コンテンツが格納されている場所は、ＰＣ５０が備える記憶部であってもよいし、他の機器（例えば、光ディスクプレーヤ１０やサーバ７０など）が備える記憶部であってもよい。他の機器が備える記憶部に格納されたコンテンツを再生することを、ストリーミングと称する場合もある。
【００２５】
携帯端末６０は、ルータ４０を介して取得したコンテンツを再生し、自端末が備える表示部に出力する。携帯端末６０は、上述したＰＣ５０と同様、自端末の記憶部に格納したコンテンツを再生してもよいし、ストリーミングをしてもよい。
【００２６】
サーバ７０は、（１）光ディスクプレーヤ１０が送信するディスクＩＤおよびリデンプションコードを受信し、（２）ディスクＩＤおよびリデンプションコードの認証処理を行い、（３）認証処理の認証結果を光ディスクプレーヤ１０に送信する。
【００２７】
また、サーバ７０は、取得したディスクＩＤおよびリデンプションコードに関連付けられている条件付きサービスを管理する。条件付きサービスの管理とは、提供できる条件付きサービスの種類および提供可能な回数を管理することである。また、サーバ７０は、自装置の記憶部に条件付きサービスを提供するためのコンテンツを格納しており、後述する要求に応じて当該コンテンツを出力する。サーバ７０の詳細な構成については、後述する。なお、条件付きサービスは、サーバ７０を管理する事業者と異なる事業者が管理してもよい。
【００２８】
携帯端末８０は、ネットワーク９０を介して取得したコンテンツを再生し、再生した映像を表す映像信号を表示部に出力する。携帯端末８０は、上述した携帯端末６０が上記ＬＡＮを構成する端末であるのに対して、ネットワーク９０に直接繋がっている点において、携帯端末６０と区別される。
【００２９】
なお、光ディスクプレーヤ１０以外の端末装置であって、コンテンツを再生することができるＰＣ５０、携帯端末６０、および携帯端末８０を外部機器と総称する場合もある。
【００３０】
次に、サービス提供システム１に含まれている光ディスクプレーヤ１０およびサーバ７０の構成について、参照する図を変えて説明する。
【００３１】
（光ディスクプレーヤ１０の構成）
光ディスクプレーヤ１０の構成について、図２および図３を参照して説明する。図２の（ａ）は、本実施形態における光ディスクプレーヤ１０のハードウェア構成を示すブロック図である。図２の（ｂ）は、本実施形態における光ディスクプレーヤ１０が備えているリモコン１９の外観図である。図３は、本実施形態における光ディスクプレーヤ１０のＣＰＵ１１によって実現される主要な機能を示す機能ブロック図である。
【００３２】
図２の（ａ）に示すように、光ディスクプレーヤ１０は、バスを介して互いに接続されたＣＰＵ（Central Processing Unit）１１、メモリ１２、ＨＤＤ（ハードディスクドライブ、記憶部）１３、通信Ｉ／Ｆ（インターフェース）１４、ＨＤＭＩ  Ｉ／Ｆ１５、光ディスクドライブ１６、ＵＳＢ（Universal Serial Bus）  Ｉ／Ｆ１７、およびリモコン受光部１８を備えている。
【００３３】
ＣＰＵ１１は、光ディスクプレーヤ１０全体を統合制御する制御部である。ＣＰＵ１１は、各種プログラムが格納されたＨＤＤ１３から当該プログラムをメモリ１２上に展開し、当該プログラムに含まれる命令を実行することによって、光ディスクプレーヤ１０全体を統合制御する。
【００３４】
ＨＤＤ１３は補助記憶装置であり、ＣＰＵ１１を制御部として機能させるための各種プログラムが格納されている。また、ＨＤＤ１３は、光ディスク２０に格納されているコンテンツやサーバ７０から取得するコンテンツなども格納することができる。なお、補助記憶装置は、ＨＤＤ１３に限定されるものではなく、テープ、ディスク、カード、半導体メモリ、プログラマブル論理回路などの記憶媒体によって実現されてもよい。
【００３５】
メモリ１２は主記憶装置であり、例えばＲＡＭ（random access memory）によって実現できる。メモリ１２には、ＨＤＤ１３に格納されていた各プログラムが展開される。
【００３６】
通信Ｉ／Ｆ１４は、光ディスクプレーヤ１０が外部の装置と通信するためのインターフェースであり、例えばイーサネット（登録商標）規格に準拠したインターフェースである。
【００３７】
ＨＤＭＩ  Ｉ／Ｆ１５は、非圧縮デジタル形式の映像データや音声データを伝送するとともに、ＣＥＣ（Consumer Electronics Control）コマンドを送受信することが可能なインターフェースである。
【００３８】
光ディスクドライブ１６は、装填された光ディスク２０に格納されたデータであるディスク情報を読み出す。
【００３９】
ＵＳＢ  Ｉ／Ｆ１７は、ＵＳＢ規格に適合したデジタル信号を所定のプログラムに基づいて送受信可能なインターフェースである。
【００４０】
リモコン受光部１８は、後述するリモコン１９から送信されるリモコン信号を受信することができる。リモコン受光部１８は、例えば、赤外線などの光としてリモコン信号を受信することができるが、これに限定されるものではない。リモコン受光部１８は、受信したリモコン信号を電気信号に変換する。
【００４１】
また、光ディスクプレーヤ１０は、図２の（ｂ）に示すリモコン１９を備えている。リモコン１９は、テンキー１９ａおよびカーソルキー１９ｂを備えている。リモコン１９は、テンキー１９ａおよびカーソルキー１９ｂを介してユーザから光ディスクプレーヤ１０に対する操作を受け付ける。そして、リモコン１９は、ユーザから受け付けた操作を示すリモコン信号を送信する。
【００４２】
（ＣＰＵ１１）
ＣＰＵ１１によって実現される主要な機能について、図３を用いて説明する。
【００４３】
図３に示すように、ＣＰＵ１１は、ディスク情報取得部（光ディスク識別情報取得部）１１１、ディスクＩＤ管理部１１２、リデンプションコード管理部（管理部）１１３、認証リクエスト部（情報出力部）１１４、認証結果取得部１１５、操作信号取得部（認証用情報取得部、操作受付部）１１６、サービス提供部１１７、表示制御部（オブジェクト出力部）１１８、および外部機器管理部（外部機器情報取得部、外部機器検出部）１１９としても機能する。
【００４４】
ディスク情報取得部１１１は、光ディスク２０に格納されているディスク情報（例えば、コンテンツ、ディスクＩＤなど）を、光ディスクドライブ１６を介して取得する。
【００４５】
ディスクＩＤ管理部１１２は、取得したディスクＩＤを管理する。より具体的には、ディスクＩＤ管理部１１２は、取得したディスクＩＤが記憶部（不図示であるが、ＨＤＤ１３であってもよい）に格納されているか否かを判定し、格納されていない場合は、取得したディスクＩＤを記憶部に格納する。
【００４６】
リデンプションコード管理部１１３は、取得したディスクＩＤに関連付けられるリデンプションコードを管理する。より具体的には、リデンプションコード管理部１１３は、取得したディスクＩＤに関連付けられたリデンプションコードが記憶部（不図示であるが、ＨＤＤ１３であってもよい）に格納済であるか否かを判定する。また、リデンプションコード管理部１１３は、リデンプションコードを取得した場合、ディスクＩＤと関連付けて、取得したリデンプションコードを記憶部に格納する。なお、リデンプションコード管理部１１３は、ディスクＩＤおよびリデンプションコードを外部機器に格納する（記憶させる）ことにより、ディスクＩＤおよびリデンプションコードを管理する構成であってもよく、この構成については、後述する実施形態において詳しく説明する。
【００４７】
認証リクエスト部１１４は、通信Ｉ／Ｆ１４を介して、サーバ７０に対してディスクＩＤおよびリデンプションコードの認証を要求する。なお、認証リクエスト部１１４は、サーバ７０に対してディスクＩＤおよびリデンプションコードの認証を要求する構成に限定されず、例えば、サーバ７０に対してディスクＩＤおよびリデンプションコードを出力する構成であってもよいし、サーバ７０に対してディスクＩＤおよびリデンプションコードを出力するとともに認証を要求する構成であってもよい。また、認証リクエスト部１１４は、ディスクＩＤおよびリデンプションコードに、光ディスクプレーヤ１０を他の光ディスクプレーヤから識別する情報であるプレーヤＩＤ（機器識別情報）を加えて、認証を要求してもよい。認証リクエスト部１１４がプレーヤＩＤを加えて認証を要求する構成については、後述する。
【００４８】
認証結果取得部１１５は、通信Ｉ／Ｆ１４を介して、サーバ７０からディスクＩＤおよびリデンプションコードの認証結果を取得する。
【００４９】
操作信号取得部１１６は、リモコン受光部１８を介して、光ディスクプレーヤ１０に対する操作を示す操作信号を取得する。
【００５０】
サービス提供部１１７は、認証結果を取得し、認証結果がディスクＩＤおよびリデンプションコードが認証されたことを示す場合、通常サービスおよび条件付きサービスを提供する。一方、サービス提供部１１７は、認証結果がディスクＩＤおよびリデンプションコードが認証されていないことを示す場合、通常サービスを提供する。通常サービスの具体例としては、コンテンツの再生が挙げられる。また、条件付きサービスの具体例としては、コンテンツのコピーが挙げられる。しかしながら、通常サービスおよび条件付きサービスは、後述するサービス管理テーブルを設定する事業者によって設定される構成が好ましい。なお、通常サービスおよび条件付きサービスは、上述の他に、サービス提供部１１７が、ＨＤＤ１３から取得して提供してもよいし、光ディスクプレーヤ１０にセットされている光ディスク２０から取得して提供してもよいし、またはサーバ７０等、外部のネットワーク９０経由で取得し、提供してもよい。またサービス提供部１１７は、サービス管理テーブルを管理する構成であってもよく、この構成については、後述の実施形態において詳しく説明する。
【００５１】
表示制御部１１８は、ＨＤＭＩ  Ｉ／Ｆ１５を介して、映像信号をモニタ３０へ提供する。
【００５２】
外部機器管理部１１９は、通信Ｉ／Ｆ１４を介して光ディスクプレーヤと通信可能な外部機器を管理する。外部機器管理部１１９が外部機器を管理する方法の詳細は、後述の実施形態において詳しく説明する。
【００５３】
（サーバ７０）
サーバ７０について、図４および図５を参照して説明する。図４は、本実施形態におけるサーバ７０のハードウェア構成を示すブロック図である。図５は、本実施形態におけるサーバ７０のＣＰＵ７１によって実現される主要な機能を示す機能ブロック図である。
【００５４】
図４に示すように、サーバ７０は、バスを介して互いに接続されたＣＰＵ７１、メモリ７２、ＨＤＤ７３、および通信Ｉ／Ｆ７４を備えている。
【００５５】
ＣＰＵ７１は、サーバ７０全体を統合制御する制御部である。ＣＰＵ７１は、各種プログラムが格納されたＨＤＤ７３から当該プログラムをメモリ７２上に展開し、当該プログラムに含まれる命令を実行することによって、サーバ７０全体を統合制御する。
【００５６】
ＨＤＤ７３は補助記憶装置であり、ＣＰＵ７１を制御部として機能させるための各種プログラムが格納されている。また、ＨＤＤ７３は、コンテンツや後述するサービス管理テーブルなども格納することができる。なお、補助記憶装置は、ＨＤＤに限定されるものではなく、テープ、ディスク、カード、半導体メモリ、プログラマブル論理回路などの記録媒体によって実現されてもよい。
【００５７】
メモリ７２は主記憶装置であり、例えばＲＡＭによって実現できる。メモリ７２には、ＨＤＤ７３に格納されていた各プログラムが展開される。
【００５８】
通信Ｉ／Ｆ７４は、サーバ７０が外部の装置と通信するためのインターフェースであり、例えばイーサネット規格に準拠したインターフェースである。
【００５９】
（ＣＰＵ７１）
ＣＰＵ７１によって実現される主要な機能について、図５を用いて説明する。
【００６０】
図５に示すように、ＣＰＵ７１は、認証要求受付部（情報取得部）７１１、認証部７１２、サービス管理部７１３、認証結果出力部７１４、コンテンツ出力要求受付部７１５、およびコンテンツ出力部７１６としても機能する。
【００６１】
認証要求受付部７１１は、通信Ｉ／Ｆ７４を介して、光ディスクプレーヤ１０が送信したディスクＩＤおよびリデンプションコードの認証要求を受け付ける。なお、認証要求受付部７１１は、ディスクＩＤおよびリデンプションコードの認証要求を受け付ける構成に限定されず、ディスクＩＤおよびリデンプションコードを取得する構成であってもよい。また、認証要求受付部７１１は、ディスクＩＤおよびリデンプションコードに加えて、プレーヤＩＤを取得する（または認証要求を受け付ける）構成であってもよい。サーバがディスクＩＤ、リデンプションコード、およびプレーヤＩＤを取得する構成については、後述する。
【００６２】
認証部７１２は、取得したディスクＩＤおよびリデンプションコードの認証処理を実行する。なお、認証部７１２が実行する認証処理の詳細については、後述する。
【００６３】
サービス管理部７１３は、後述するサービス管理テーブルを管理する。サービス管理部７１３が実行する具体的な処理については、参照する図面を替えて後述する。
【００６４】
認証結果出力部７１４は、認証部７１２が実行した認証処理の結果を表す認証結果を、通信Ｉ／Ｆ７４を介して光ディスクプレーヤ１０に送信する。
【００６５】
コンテンツ出力要求受付部７１５は、記憶部（不図示であるが、ＨＤＤ７３であってもよい）に格納されているコンテンツを送信するコンテンツ送信要求を受け付ける。
【００６６】
コンテンツ出力部７１６は、コンテンツ出力要求受付部７１５が受け付けたコンテンツ送信要求に応じたコンテンツを送信する。
【００６７】
（光ディスクプレーヤ１０の処理の流れ）
光ディスクプレーヤ１０が実行する処理（光ディスクプレーヤ１０のサービス提供方法）について、図６および図８を参照して説明する。図６は、本実施形態における光ディスクプレーヤ１０の処理の流れを示すフローチャートである。図８は、本実施形態における光ディスクプレーヤ１０の表示制御部１１８がモニタ３０に表示させる映像の例である。
【００６８】
ステップＳ１００：光ディスクプレーヤ１０の光ディスクドライブ１６は、光ディスク２０の挿入を検出する。
【００６９】
ステップＳ１０２（光ディスク識別情報取得工程）：光ディスクプレーヤ１０のディスク情報取得部１１１は、挿入された光ディスク２０のディスクＩＤを取得する。ディスク情報取得部１１１は、取得したディスクＩＤを、ディスクＩＤ管理部１１２に出力する。
【００７０】
ステップＳ１０４：ディスクＩＤ管理部１１２は、取得したディスクＩＤが記憶部に格納済であるか否かを判定する。
【００７１】
ステップＳ１０６：ステップＳ１０４において、「取得したディスクＩＤは記憶部に格納済ではない」と判定された場合（ステップＳ１０４：ＮＯ）、ディスクＩＤ管理部１１２は、取得したディスクＩＤを記憶部に格納する。そして、光ディスクプレーヤ１０の処理は、ステップＳ１０８に進む。
【００７２】
ステップＳ１０８：ステップＳ１０４において、「取得したディスクＩＤは記憶部に格納済である」と判定された場合（ステップＳ１０４：ＹＥＳ）、または、ステップＳ１０６の処理を実行した場合、ディスクＩＤ管理部１１２は、取得したディスクＩＤをリデンプションコード管理部１１３に出力する。リデンプションコード管理部１１３は、ディスクＩＤを取得すると、取得したディスクＩＤに関連付けられたリデンプションコードが記憶部に格納済であるか否かを判定する。
【００７３】
ステップＳ１１０：ステップＳ１０８において、「リデンプションコードは格納済ではない」と判定された場合（ステップＳ１０８：ＮＯ）、リデンプションコード管理部１１３は、リデンプションコードの入力を促すメッセージを含む映像をモニタ３０に表示させるよう、表示制御部１１８に要求する。表示制御部１１８は、当該要求を受け付けると、リデンプションコードの入力を促すメッセージを含む映像を表す映像信号をモニタ３０に提供する。モニタ３０は、取得した映像信号に応じて、リデンプションコードの入力を促すメッセージを含む映像を表示する。モニタ３０が表示する映像の例を、図８の（ａ）に示す。
【００７４】
図８の（ａ）に示すように、モニタ３０は、リデンプションコードの入力を促すメッセージ９０１、リデンプションコードを入力するための項目９０２、リデンプションコードの入力が完了した旨の操作を受け付けるための入力完了ボタン９０３、およびリデンプションコードを入力しない旨の操作を受け付けるための入力しないボタン９０４を含む映像を表示する。
【００７５】
ステップＳ１１２（認証用情報取得工程）：リデンプションコード管理部１１３は、リデンプションコードを取得したか否かを判定する。リデンプションコード管理部１１３がリデンプションコードを取得したか否かを判定する方法として、例えば、表示制御部１１８が図８の（ａ）に示す映像を示す映像信号をモニタ３０に提供している状態において、操作信号取得部１１６が、項目９０２においてリデンプションコードが入力され、かつ、入力完了ボタン９０３が押されたことを示す操作信号を取得した場合、リデンプションコード管理部１１３は、リデンプションコードを取得したと判定する。一方、操作信号取得部１１６が、入力しないボタン９０４が押されたことを示す操作信号を取得した場合、リデンプションコード管理部１１３は、リデンプションコードを取得しないと判定する。なお、リデンプションコード管理部１１３がリデンプションコードを取得したか否かを判定する他の方法として、操作信号取得部１１６が、表示制御部１１８が図８の（ａ）に示す映像をモニタ３０に表示させてから所定の期間（例えば５分）、操作信号を取得できなかった場合、リデンプションコード管理部１１３は、リデンプションコードを取得しないと判定する方法が挙げられる。
【００７６】
ステップＳ１１４（情報出力工程）：ステップＳ１０８において、「リデンプションコードは格納済である」と判定された場合（ステップＳ１０８：ＹＥＳ）、または、ステップＳ１１２において、「リデンプションコードを取得した」と判定された場合（ステップＳ１１２：ＹＥＳ）、リデンプションコード管理部１１３は、取得したディスクＩＤおよびリデンプションコードを認証リクエスト部１１４に提供する。認証リクエスト部１１４は、取得したディスクＩＤおよびリデンプションコードをサーバ７０に送信する。サーバ７０がディスクＩＤおよびリデンプションコードを認証する処理の詳細については、参照する図面を替えて後述する。
【００７７】
ステップＳ１１６（認証結果取得工程）：認証結果取得部１１５は、サーバ７０から認証結果を取得し、取得した認証結果をリデンプションコード管理部１１３に提供する。リデンプションコード管理部１１３は、取得した認証結果を参照し、ディスクＩＤとリデンプションコードとが認証されたか否かを判定する。
【００７８】
ステップＳ１１８（管理工程）：ステップＳ１１６において、「ディスクＩＤとリデンプションコードとは認証された」と判定された場合（ステップＳ１１６：ＹＥＳ）、リデンプションコード管理部１１３は、ディスクＩＤとリデンプションコードとを関連付けて記憶部に格納する。
【００７９】
ステップＳ１２０（サービス提供工程）：リデンプションコード管理部１１３は、ディスクＩＤおよびリデンプションコードが認証されると、サービス提供部１１７に対して条件付きサービスの提供を許可する。そして、サービス提供部１１７は、提供するサービスをユーザから受け付けるオブジェクトを含む映像をモニタ３０に表示させるよう、表示制御部１１８に要求する（オブジェクト出力工程）。
【００８０】
ステップＳ１２２：ステップＳ１１２において、「リデンプションコードを取得しなかった」と判定された場合（ステップＳ１１２：ＮＯ）、または、ステップＳ１１６において、「ディスクＩＤおよびリデンプションコードは認証されなかった」と判定された場合（ステップＳ１１６：ＮＯ）、リデンプションコード管理部１１３は、サービス提供部１１７に対して条件付きサービスの提供を許可しない。すなわち、この場合において、サービス提供部１１７は、通常サービスのみを提供可能な状態となる。そして、サービス提供部１１７は、提供するサービスをユーザから受け付けるオブジェクトを含む映像をモニタ３０に表示させるよう、表示制御部１１８に要求する。例えば、通常サービスがコンテンツ再生の場合、図８の（ｄ）に示すように、表示制御部１１８は、コンテンツを再生する操作を受け付ける再生ボタン９０９を含む映像を表す映像信号をモニタ３０に提供する。
【００８１】
なお、ステップＳ１１６において、ディスクＩＤおよびリデンプションコードが認証された場合（ステップＳ１１６：ＹＥＳ）、リデンプションコード管理部１１３は、認証されたリデンプションコードを記憶部に格納するか否かを、ユーザに問い合わせるように構成されていてもよい。また、当該問い合わせには、ディスクＩＤまたはディスクＩＤが認証された光ディスク２０と、認証されたリデンプションコードとを関連付けた上で格納することが含まれている構成が望ましい。これらの場合、リデンプションコード管理部１１３は、上記問い合わせの趣旨（メッセージ等）を含む映像をモニタ３０に表示させるよう、表示制御部１１８に要求する。表示制御部１１８は、当該要求を受け付けると、上記問い合わせの趣旨（メッセージ等）を含む映像を表す映像信号をモニタ３０に提供する。この場合にモニタ３０が表示する映像の一例を、図８の（ｂ）に示す。
【００８２】
図８の（ｂ）に示すように、モニタ３０は、ディスクＩＤおよびリデンプションコードが認証されたことを示すメッセージ９０５、ディスクＩＤおよびリデンプションコードの関連付けを維持するか否かをユーザに問い合わせるメッセージ９０６（第１のオブジェクト）、ディスクＩＤおよびリデンプションコードを関連付けて格納する旨の操作を受け付けるＹＥＳボタン９０７、およびディスクＩＤおよびリデンプションコードを関連付けて格納しない旨の操作を受け付けるＮＯボタン９０８を含む映像を表示する。光ディスクプレーヤ１０の操作信号取得部１１６は、図８の（ｂ）に示すようなメッセージ９０６を出力している期間では、ディスクＩＤおよびリデンプションコードの関連付けを維持するか否かを示すユーザの操作入力（例えば、リモコン１９からのリモコン信号）待ちの状態である。
【００８３】
なお、上述したように、メッセージ９０６は、認証されたリデンプションコードを記憶部に格納するか否かを問い合わせるメッセージ（例えば、「認証されたリデンプションコードを保存しますか？」）であってもよいし、認証された光ディスク２０と認証されたリデンプションコードとを関連付けたうえで格納するか否かを問い合わせるメッセージ（例えば、「挿入されたディスクのディスク名およびリデンプションコードを保存しますか？」）であってもよい。
【００８４】
ここで、操作信号取得部１１６が、ＹＥＳボタン９０７が押されたことを示す操作信号を取得した場合、リデンプションコード管理部１１３は、ディスクＩＤおよびリデンプションコードを関連付けて記憶部に格納する。これにより、再度、当該ディスクＩＤによって識別される光ディスクが光ディスクプレーヤ１０に挿入された場合、ユーザはリデンプションコードを入力することなく、条件付きサービスの提供を受けることができるので、ユーザの利便性が向上する。
【００８５】
一方、操作信号取得部１１６が、ＮＯボタン９０８が押されたことを示す操作信号を取得した場合、リデンプションコード管理部１１３は、ディスクＩＤとリデンプションコードとを記憶部に格納しない。このように、表示制御部１１８は、ディスクＩＤとリデンプションコードとの関連付けを維持するか否かをユーザに問い合わせるメッセージやボタンといったオブジェクトを含む映像をモニタ３０に表示させる。
【００８６】
また、上述したステップＳ１１６およびＳ１１８は、処理の順番を入れ替えて実行されてもよい。この場合、ステップＳ１０８において、「リデンプションコードは格納済である」と判定された場合（ステップＳ１０８：ＹＥＳ）、または、ステップＳ１１２において、「リデンプションコードを取得した」と判定された場合（ステップＳ１１２：ＹＥＳ）、リデンプションコード管理部１１３は、ディスクＩＤとリデンプションコードとを関連付けて記憶部に格納する。そして、リデンプションコード管理部１１３は、取得した認証結果を参照し、ディスクＩＤとリデンプションコードとが認証されたか否かを判定する構成であってもよい。この場合、ディスクＩＤとリデンプションコードとが認証されたか否かに関わらず、リデンプションコード管理部１１３は、ディスクＩＤとリデンプションコードとを関連付けて記憶部に格納する。換言すると、リデンプションコード管理部は、少なくとも認証結果がディスクＩＤおよびリデンプションコードが認証されたことを示す場合に、上記ディスクＩＤとリデンプションコードとを関連付けて管理する。
【００８７】
（プレーヤＩＤの認証を条件とする構成）
図６を用いて説明した処理では、ディスクＩＤおよびリデンプションコードの認証を条件として、サービス提供部１１７は条件付きサービスを提供したが、上述したように、認証リクエスト部１１４はディスクＩＤおよびリデンプションコードに加えて、プレーヤＩＤサーバに出力する構成であってもよい。
【００８８】
この構成の場合、上述したステップＳ１１４において、光ディスクプレーヤ１０の認証リクエスト部１１４は、通信Ｉ／Ｆ１４を介して、サーバ７０に対してディスクＩＤ、リデンプションコード、およびプレーヤＩＤを出力する構成となる。また、ステップＳ１１６において、認証結果取得部１１５は、通信Ｉ／Ｆ１４を介して、サーバ７０から認証結果を取得する。そして、当該認証結果を取得したリデンプションコード管理部１１３が、ディスクＩＤ、リデンプションコード、およびプレーヤＩＤは認証されたと判定した場合、ステップＳ１２０において、サービス提供部１１７は、通常サービスおよび条件付きサービスを提供する。一方、ステップＳ１１６において、リデンプションコード管理部１１３がディスクＩＤ、リデンプションコード、およびプレーヤＩＤは認証されなかったと判定した場合、ステップＳ１２２において、サービス提供部１１７は通常サービスのみを提供する。
【００８９】
（サービス管理テーブル）
図７は、本実施形態におけるサーバ７０のサービス管理部７１３が管理するサービス管理テーブルの例である。サーバ７０がディスクＩＤおよびリデンプションコードを認証する方法について説明する前に、サービス管理部７１３が管理するサービス管理テーブルについて、説明する。
【００９０】
サービス管理テーブルとは、ディスクＩＤおよびリデンプションコードの認証処理のための情報、および条件付きサービスに関する情報が格納されている。サービス管理テーブルは、サービス提供システム１を用いてサービスを提供する事業者によって予め設定される。
【００９１】
サービス管理テーブルは、図７に示すように、項目「ディスクＩＤ」、項目「リデンプションコード」、項目「認証期限」、項目「サービス提供期限」、項目「サービス１」、項目「制限１」、項目「サービス２」、項目「制限２」、項目「サービス３」、および項目「制限３」を含んでいる。
【００９２】
項目「ディスクＩＤ」には、上述したディスクＩＤが格納されている。
【００９３】
項目「リデンプションコード」には、ディスクＩＤに関連付けられるリデンプションコードが格納されている。
【００９４】
項目「認証期限」は、ディスクＩＤおよびリデンプションコードを認証する期限を示す日時が格納されている。
【００９５】
項目「サービス提供期限」は、ディスクＩＤおよびリデンプションコードに関連付けられた条件付きサービスを提供する期限を示す日時が格納されている。
【００９６】
項目「サービス１」、「サービス２」、「サービス３」は、それぞれ、ディスクＩＤおよびリデンプションコードに関連付けられた条件付きサービスの内容が格納されている。図７に示すように、条件付きサービスの具体例として、コンテンツのコピー、ボーナス要素を持つコンテンツ（ゲーム、音楽など）の配信、ギフトの取得（音楽ＣＤ送付）が挙げられているが、他の例として、アプリ、カレンダーの利用、付加的サービスに参加する権利（例えば抽選券など）の取得、を挙げることができる。
【００９７】
項目「制限１」、「制限２」、「制限３」は、それぞれ上述した「サービス１」、「サービス２」、「サービス３」を提供できる回数である提供回数が格納されている。
【００９８】
（サーバ７０の認証処理）
続いて、サーバ７０がディスクＩＤおよびリデンプションコードを認証する方法（サーバ７０のサービス提供方法）について、図９を用いて説明する。図９は、本実施形態におけるサーバ７０の処理の流れを示すフローチャートである。
【００９９】
ステップＳ２００（情報取得工程）：サーバ７０の認証要求受付部７１１は、光ディスクプレーヤ１０から、ディスクＩＤおよびリデンプションコードを取得すると、当該ディスクＩＤおよびリデンプションコードを認証部７１２に出力する。認証部７１２は、取得したディスクＩＤをサービス管理部７１３に出力する。サービス管理部７１３は、サービス管理テーブルを参照し、取得したディスクＩＤに関連付けられているリデンプションコードおよび認証期限を示す日時を認証部７１２に出力する。例えば、サービス管理部７１３が図７に示すサービス管理テーブルを管理している場合、サービス管理部７１３がディスクＩＤ「０００１」を取得すると、リデンプションコード「ＡＡＡＡＡＡ」および認証期限「２０１５／９／３１」を認証部７１２に出力する。
【０１００】
ステップＳ２０１（認証工程）：認証部７１２は、ディスクＩＤを取得した時点が認証期限内であるか（所定の期間に含まれているか）否か、および、認証要求受付部７１１から取得したリデンプションコードと、サービス管理部７１３から取得したリデンプションコードとが一致するか否かを判定する。ディスクＩＤを取得した時点が認証期限内であり、認証要求受付部７１１から取得したリデンプションコードと、サービス管理部７１３から取得したリデンプションコードとが一致する場合、認証部７１２は、認証要求受付部７１１から取得したディスクＩＤおよびリデンプションコードを認証することを示す認証結果を、認証結果出力部７１４に出力する。
【０１０１】
ステップＳ２０２（認証結果出力工程）：認証結果出力部７１４は、取得した認証結果を光ディスクプレーヤ１０に出力する。
【０１０２】
なお、認証部７１２は、当該ディスクＩＤおよびリデンプションコードに関連付けられている条件付きサービスの内容、提供回数、および提供期間を、サービス管理部７１３から取得し、当該条件付きサービスの内容、提供回数、および提供期間を示すサービス情報を、認証結果に含める構成が好ましい。この場合、認証部７１２は、ディスクＩＤおよびリデンプションコードに関連付けられている条件付きサービスの内容、提供回数、および提供期間を出力するよう、サービス管理部７１３に要求する。サービス管理部７１３は、サービス管理テーブルを参照し、ディスクＩＤおよびリデンプションコードに関連付けられた条件付きサービスは提供期限内であるか否かを判定し、提供期限内であると判定した場合、条件付きサービスの内容、提供回数、および提供期間を認証部７１２に出力する。
【０１０３】
例えば、認証部７１２が、２０１４／８／２０に、ディスクＩＤ「０００２」およびリデンプションコード「ＢＢＢＢＢＢ」の認証をした場合、サービス管理部７１３は、ディスクＩＤ「０００２」およびリデンプションコード「ＢＢＢＢＢＢ」に関連付けられたサービス提供期限を参照する。そして、サービス管理部７１３は、サービス提供期限が「２０１５／９／３１」であるため、２０１４／８／２０はサービス提供期限内であると判定し、項目「サービス１」に格納されている「コンテンツコピー」、項目「制限１」に格納されている「１回」、および項目「サービス提供期限」に格納されている「２０１５／９／３１」を、認証部７１２に出力する。認証部７１２は、条件付きサービスの内容である「コンテンツコピー」を「２０１５／９／３１」までに「１回」提供できることを示すサービス情報を、認証結果に含める。
【０１０４】
一方、ディスクＩＤを取得した時点が認証期限内ではない場合、または、認証要求受付部７１１から取得したリデンプションコードと、サービス管理部７１３から取得したリデンプションコードとが一致しない場合、認証部７１２は、認証要求受付部７１１から取得したディスクＩＤとリデンプションコードとを認証しないことを示す認証結果を、認証結果出力部７１４に出力する。認証結果出力部７１４は、取得した認証結果を光ディスクプレーヤ１０に出力する。また、リデンプションコードに認証期限を設けて、リデンプションコードを取得した時点が認証期限内ではない場合、認証部７１２は、リデンプションコードを認証しないことを示す認証結果を、認証結果出力部７１４に出力してもよい。
【０１０５】
なお、本実施形態において、４桁の数字によってディスクＩＤが構成され、６桁のアルファベットによってリデンプションコードが構成されるものとして説明した。しかし、ディスクＩＤを構成する文字種および桁数、および、リデンプションコードを構成する文字種および桁数は、上記の例に限定されるものではない。ディスクＩＤおよびリデンプションコードを構成するために、任意の文字種を用いることができるし、複数種類の文字種を組み合わせてもよい。
【０１０６】
（プレーヤＩＤを取得する構成）
図９を用いて説明した処理では、ディスクＩＤおよびリデンプションコードを取得する構成であったが、上述したように、サーバ７０はディスクＩＤおよびリデンプションコードに加えて、プレーヤＩＤを取得する構成であってもよい。
【０１０７】
この構成の場合、上述したステップＳ２００において、サーバ７０の認証要求受付部７１１は、通信Ｉ／Ｆを介して光ディスクプレーヤ１０からディスクＩＤ、リデンプションコード、およびプレーヤＩＤを取得する。また、ステップＳ２０１において、認証部７１２は、上述した処理に加えて、取得したプレーヤＩＤを認証する。より具体的には、認証部７１２は、取得したプレーヤＩＤが、不正な機器などをリストにより管理するブラックリスト（ＢＬ）に登録されていないかを判定する。そして、プレーヤＩＤがＢＬに登録されている場合、ステップＳ２０２において、認証結果出力部７１４は、認証されなかった旨の認証結果を出力する。ここで、ＢＬには、不正な機器のプレーヤＩＤをリストにより管理する機器ＢＬ、及び、不正な光ディスクのディスクＩＤをリストにより管理するディスクＢＬなどが含まれる。
【０１０８】
（認証後の光ディスクプレーヤ１０の処理）
図１０は、本実施形態における光ディスクプレーヤ１０の表示制御部１１８がモニタ３０に表示させる映像の他の例である。
【０１０９】
例えば、ディスクＩＤおよびリデンプションコードが認証され、図８の（ｃ）に示す映像がモニタ３０に表示された状態において、操作信号取得部１１６がコピーボタン９１０を押されたことを示す操作信号を取得した場合、サービス提供部１１７は、光ディスク２０に格納されているコンテンツを、記憶部（ＨＤＤ１３であってもよい）にコピーする。サービス提供部１１７が上記コンテンツをコピーしている期間中、表示制御部１１８は、図１０の（ａ）に示すコピー中であることを示すメッセージ９４２を含む映像を表す映像信号をモニタ３０に提供してもよい。
【０１１０】
また、サービス提供部１１７が取得した認証結果にサービス情報が含まれる状態において、操作信号取得部１１６がコピーボタン９１０を押されたことを示す操作信号を取得した場合、サービス提供部１１７は、当該サービス情報が示す内容をモニタ３０に表示させるよう、表示制御部１１８に要求する構成であってもよい。例えば、図１０の（ｂ）に示すように、表示制御部１１８は、サービスの提供回数を示すメッセージ９１６、サービスの提供期間を示すメッセージ９１７、サービス内容を表すメッセージ９１１（第２のオブジェクト）を含む映像を表す映像信号をモニタ３０に提供してもよい。さらに、表示制御部１１８は、コンテンツのコピー元を示すメッセージ９１２、コンテンツのコピー先を示すメッセージ９１３、コピーの実行を受け付けるＯＫボタン９１４、およびコピーの中止を受け付けるキャンセルボタン９１５を含む映像を表す映像信号をモニタ３０に提供してもよい。また、メッセージ９１１に、メッセージ９１２、およびメッセージ９１３を含める構成としてもよい。
【０１１１】
また、光ディスクプレーヤ１０は、条件付きサービスを提供すると、当該条件付きサービスを提供したことを示すサービス提供情報を、サーバ７０に出力する。サーバ７０のサービス管理部７１３は、光ディスクプレーヤ１０からサービス提供情報を取得すると、当該サービス提供情報が示すサービスの提供回数を１回減らす。
【０１１２】
例えば、サービス管理部７１３が図７に示すサービス管理テーブルを管理している状態において、光ディスクプレーヤ１０が、ディスクＩＤ「０００１」およびリデンプションコード「ＡＡＡＡＡＡ」が関連付けられている条件付きサービス「コンテンツコピー」を提供した場合、光ディスクプレーヤ１０は、ディスクＩＤ「０００１」およびリデンプションコード「ＡＡＡＡＡＡ」を含むサービス提供情報であって、「コンテンツコピー」を提供したことを示すサービス提供情報を、サーバ７０に出力する。サーバ７０のサービス管理部７１３は、当該サービス提供情報を取得すると、ディスクＩＤ「０００１」およびリデンプションコード「ＡＡＡＡＡＡ」に関連付けられている条件付きサービスであって、「コンテンツコピー」を示す条件付きサービスの内容が格納されている項目「サービス１」の提供回数を示す項目「制限１」に格納されている値を、「３回」から「２回」に更新する。
【０１１３】
また、リデンプションコード管理部１１３は、リデンプションコードが既に関連付けられているディスクＩＤを取得した場合、ディスクＩＤ（または当該ディスクＩＤを有するディスク）およびリデンプションコードの関連付け（もしくは記憶）を維持するか否かを問い合わせるメッセージをモニタ３０に表示させるよう、表示制御部１１８に要求してもよい。この場合、表示制御部１１８は、図１０の（ｃ）に示すように、既にディスクＩＤおよびリデンプションコードが関連付けられていること（または記憶されていること）を示すメッセージ９１８、ディスクＩＤ（または当該ディスクＩＤを有するディスク）およびリデンプションコードの関連付け（もしくは記憶）を維持するか否かを問い合わせるメッセージ９１９、ディスクＩＤおよびリデンプションコードの関連付け（もしくは記憶）を維持しない旨を示す操作を受け付けるＹＥＳボタン９２０、およびディスクＩＤおよびリデンプションコードの関連付けを維持する旨を示す操作を受け付けるＮＯボタン９２１を含む映像を表す映像信号をモニタ３０に提供する。
【０１１４】
このように、本実施形態に係るサービス提供システム１では、光ディスクプレーヤ１０は、光ディスクを他の光ディスクから識別するディスクＩＤに加えて、認証を条件とする条件付きサービスを提供するためのリデンプションコードをサーバ７０に出力する。そのため、光ディスクプレーヤ１０は、条件付きサービスの不正利用をより効果的に排除することができる。さらに、光ディスクプレーヤ１０は、サーバ７０による認証結果がディスクＩＤおよびリデンプションコードが認証されたことを示す場合、ディスクＩＤおよびリデンプションコードを関連付けて管理する。そのため、光ディスクプレーヤ１０は、一旦ユーザによって入力されたリデンプションコードの入力を再度ユーザに強いることなく、条件付きサービスを提供できる。したがって、光ディスクプレーヤ１０は、不正なサービス利用をより効果的に排除しつつ、ユーザの利便性を向上させることができる。
【０１１５】
〔実施形態２〕
以下、本発明の第２の実施形態について、図１１を参照して詳細に説明する。図１１は、本実施形態における光ディスクプレーヤ１０ａの表示制御部１１８がモニタ３０に表示させる映像の例である。本実施形態に係るサービス提供システム１ａは、実施形態１における光ディスクプレーヤ１０に替えて、光ディスクプレーヤ１０ａを備え、サーバ７０に替えてサーバ７０ａを備える。なお、光ディスクプレーヤ１０ａおよびサーバ７０ａの構成は、それぞれ実施形態１における光ディスクプレーヤ１０およびサーバ７０と同じ構成であるため、説明は省略する。
【０１１６】
（外部機器管理部１１９）
まず、外部機器管理部１１９が外部機器を管理する方法について、説明する。外部機器管理部１１９は、外部機器から接続要求を受け付けると、当該外部機器と接続し、通信を行う。換言すると、外部機器管理部１１９は、何れの外部機器が光ディスクプレーヤ１０ａと通信可能であるかを、判定することができる。さらに、外部機器管理部１１９は、外部機器に関する情報である外部機器情報を取得する。外部機器情報の具体的な例としては、外部機器のＯＳ（Operating System）を示すＯＳ情報、外部機器の機種名を示す機種情報などが挙げられる。外部機器が再生可能なコンテンツのファイル形式（例えば、フラッシュビデオフォーマット、ＡＶＩフォーマット、クイックタイムフォーマット、ＭＰ４フォーマット、ウィンドウズ（登録商標）メディアビデオフォーマットなど）は、外部機器のＯＳの種類、ＯＳのバージョン、機種などに依存して異なることが考えられる。また、外部機器のＯＳの種類、ＯＳのバージョン、機種などに依存して、外部機器が再生可能なコンテンツの解像度が限定されることが考えられる。そのため、外部機器管理部１１９は、外部機器から外部機器情報を取得することにより、光ディスクプレーヤ１０ａは、外部機器が再生可能なコンテンツのファイル形式、および、再生可能なコンテンツの解像度を判定することができる。
【０１１７】
なお、外部機器管理部１１９は、上述したＯＳ情報に替えて、光ディスクプレーヤ１０ａと外部機器との通信速度に関する情報である通信速度情報を取得する構成であってもよい。この場合、光ディスクプレーヤ１０ａは、外部機器管理部１１９が取得した通信速度情報が示す通信速度が所定の速度より速い場合は、当該外部機器は解像度が高いコンテンツを再生可能であると判定する。一方、光ディスクプレーヤ１０ａは、外部機器管理部１１９が取得した通信速度情報が示す通信速度が所定の速度より遅い場合は、当該外部機器は解像度が低いコンテンツを再生可能であると判定する。
【０１１８】
また、外部機器管理部１１９は、上述した外部機器情報および通信速度情報を取得し、その組み合わせによって、外部機器が再生可能なコンテンツを判定する構成であってもよい。
【０１１９】
（ディスクＩＤおよびリデンプションコードの関連付け）
上述したステップＳ１１８において、リデンプションコード管理部１１３はディスクＩＤおよびリデンプションコードを関連付けて記憶部に格納したが、リデンプションコード管理部１１３は、ディスクＩＤおよびリデンプションコードを関連付けて外部機器に記憶させてもよい。例えば、外部機器管理部１１９が携帯端末６０と通信可能であると判定している場合、リデンプションコード管理部１１３は、通信Ｉ／Ｆ１４を介してディスクＩＤおよびリデンプションコードを携帯端末６０に出力する。携帯端末６０は、取得したディスクＩＤおよびリデンプションコードを関連付けて、自端末の記憶部に格納する。この状態において、リデンプションコード管理部１１３は、再度上記ディスクＩＤを取得した場合、携帯端末６０に当該ディスクＩＤを出力し、携帯端末６０は、当該ディスクＩＤに関連付けて格納したリデンプションコードを、リデンプションコード管理部１１３に出力する。そして、リデンプションコード管理部１１３は、当該ディスクＩＤおよび携帯端末６０から取得したリデンプションコードを、認証リクエスト部１１４に出力する。
【０１２０】
また、リデンプションコード管理部１１３は、ディスクＩＤおよびリデンプションコードを関連付けて記憶する端末装置を、ユーザに問い合わせてもよい。この場合、リデンプションコード管理部１１３は、ディスクＩＤおよびリデンプションコードを関連付けて記憶する端末装置を問い合わせるメッセージを含む映像をモニタ３０に表示させるよう、表示制御部１１８に要求する。当該要求を受け付けた場合に表示制御部１１８がモニタ３０に表示させる映像の例を、図１１の（ａ）に示す。図１１の（ａ）に示すように、表示制御部１１８は、ディスクＩＤ（または当該ディスクＩＤを有するディスク）およびリデンプションコードが認証されたことを示すメッセージ９２２に加え、ディスクＩＤとリデンプションコードとの少なくとも何れか一方を記憶する端末装置を問い合わせるメッセージ９２３、ディスクＩＤとリデンプションコードとの少なくとも何れか一方を自装置に記憶する旨を受け付ける自装置ボタン９２４、ディスクＩＤとリデンプションコードとの少なくとも何れか一方をサーバ７０ａに記憶する旨を受け付けるサーバボタン９２５、およびディスクＩＤとリデンプションコードとの少なくとも何れか一方を携帯端末６０に記憶する旨を受け付けるスマホボタン９２６を含む映像を、モニタ３０に表示させる。
【０１２１】
（コピー元およびコピー先）
また、上述した実施形態では、光ディスク２０に格納されているコンテンツを光ディスクプレーヤ１０ａの記憶部にコピーする場合について説明したが、コピー元のコンテンツは、光ディスクプレーヤ１０ａに格納されたコンテンツまたはサーバ７０ａに格納されているコンテンツであってもよく、また、コピー先は、外部機器であってもよい。
【０１２２】
例えば、操作信号取得部１１６が、コンテンツのコピーを実行する旨の操作信号を取得した場合、サービス提供部１１７は、コピー元およびコピー先を問い合わせる映像をモニタ３０に表示させるよう、表示制御部１１８に要求する。当該要求を受け付けた場合に表示制御部１１８がモニタ３０に表示させる映像の例を、図１１の（ｂ）に示す。図１１の（ｂ）に示すように、表示制御部１１８は、コピー元を選択する項目ボタン９２７およびコピー先を選択する項目ボタン９２８を含む映像を表す映像信号をモニタ３０に提供する。この状態において、ユーザがコピー元を選択する項目ボタン９２７を選択すると、光ディスク２０、光ディスクプレーヤ１０ａ、およびサーバ７０ａの何れかを選択可能なプルダウンリストが表示される。また、ユーザがコピー先を選択する項目ボタン９２８を選択した場合も同様に、光ディスクプレーヤ１０ａのＨＤＤ１３、ＰＣ５０、携帯端末６０、および携帯端末６０の何れかを選択可能なプルダウンリストが表示される。なお、項目ボタン９２８に含まれる外部機器は、外部機器管理部１１９が通信可能ではないと判定した外部機器は含まない構成であってもよい。そして、サービス提供部１１７は、ユーザが選択したコピー元に格納されているコンテンツを、ユーザが選択したコピー先にコピーする。また、プルダウンリストに表示された１または複数のコピー先のうち、コピー先を指定する旨の操作を操作信号取得部１１６が取得した場合、サービス提供部１１７は、図８の（ａ）に示すようなリデンプションコードの入力を促す映像をモニタ３０に表示させるよう、表示制御部１１８に要求してもよい。
【０１２３】
また、例えば、表示制御部１１８が、図１１の（ｂ）に示す映像をモニタ３０に表示させている状態において、操作信号取得部１１６が、コピー元がサーバ７０ａであり、コピー先がＰＣ５０である旨を示す操作信号を取得した場合、サービス提供部１１７は、サーバ７０ａに対して、ＰＣ５０にコンテンツを出力するよう要求する。サーバ７０ａのコンテンツ出力要求受付部７１５が当該要求を受け付けると、コンテンツ出力部７１６は、要求されたコンテンツをＰＣ５０に出力する。ＰＣ５０は、サーバ７０ａから出力されたコンテンツを取得し、記憶部に格納する。この場合、光ディスク２０にはコンテンツが格納されていなくてもよい。
【０１２４】
また、例えば、表示制御部１１８が、図１１の（ｂ）に示す映像をモニタ３０に表示させている状態において、操作信号取得部１１６が、コピー元が光ディスクプレーヤ１０ａであり、コピー先が携帯端末８０である旨を示す操作信号を取得した場合、サービス提供部１１７は、コンテンツが格納されている記憶部から当該コンテンツを取得し、携帯端末８０に出力する。携帯端末８０は、光ディスクプレーヤ１０ａから出力されたコンテンツを取得し、記憶部に格納する。
【０１２５】
また、光ディスクプレーヤ１０ａは、コピー先に応じたコンテンツの属性をユーザに選択させる構成であってもよい。ここで、コンテンツの属性とは、コンテンツの特徴を示し、例えば、解像度、フォーマット（ファイル形式）などが挙げられる。また、コピー先に応じたコンテンツの属性とは、コピー先である記憶部または外部機器に適合した属性のことを指し、例えば、記憶部または外部機器に格納可能なファイル形式やファイルサイズ、再生可能なファイル形式や解像度などのことを指す。
【０１２６】
例えば、解像度がＨＤ（High Definition）のコンテンツが光ディスク２０に格納されている場合、サービス提供部１１７は、コピーする解像度を問い合わせる映像をモニタ３０に表示させるよう、表示制御部１１８に要求する。当該要求を受け付けた場合に表示制御部１１８がモニタ３０に表示させる映像の例を、図１１の（ｃ）に示す。図１１の（ｃ）に示すように、表示制御部１１８は、コピーするコンテンツの解像度を選択する項目ボタン（第３のオブジェクト）９２９を含む映像を、モニタ３０に表示させる。光ディスクプレーヤ１０の操作信号取得部１１６は、図１１の（ｃ）に示すような項目ボタン９２９を含む映像を出力している期間では、コピーするコンテンツの解像度を選択する旨を示す操作入力（例えば、リモコン１９からのリモコン信号）待ちの状態である。
【０１２７】
この状態において、ユーザが解像度を選択する項目ボタン９２９を選択すると、ＳＤ（Standard Definition）およびＨＤの何れかを選択可能なプルダウンリストが表示される。そして、サービス提供部１１７は、ユーザが選択した解像度のコンテンツを、コピー先にコピーする。例えば、操作信号取得部１１６が、解像度ＳＤが選択されたことを示す操作信号を取得した場合、サービス提供部１１７は、ディスク情報取得部１１１から光ディスク２０に格納されているＨＤのコンテンツを取得し、取得したコンテンツの解像度をＳＤにコンバートして、コピー先に出力する。このように、コピー元のコンテンツの属性を、格納先に適合した属性に適宜変更したうえで、コンテンツをコピーするので、コピー先への格納に不備が生じたり、コピー先での再生に不備が生じたりといった不具合が生じることがない。
【０１２８】
また、例えば、解像度がＳＤのコンテンツと解像度がＨＤ（High Definition）のコンテンツがそれぞれ光ディスク２０およびサーバ７０ａに格納されている場合、サービス提供部１１７は、コピーする解像度を問い合わせる映像をモニタ３０に表示させるよう、表示制御部１１８に要求する。当該要求を受け付けた場合に表示制御部１１８がモニタ３０に表示させる映像の例を、図１１の（ｃ）に示す。図１１の（ｃ）に示すように、表示制御部１１８は、コピーするコンテンツの解像度を選択する項目ボタン９２９を含む映像を、モニタ３０に表示させる。この状態において、ユーザが解像度を選択する項目ボタン９２９を選択すると、ＳＤおよびＨＤの何れかを選択可能なプルダウンリストが表示される。そして、サービス提供部１１７は、ユーザが選択した解像度のコンテンツを、コピー先にコピーする。なお、プルダウンリストに含まれる選択可能な解像度は、外部機器管理部１１９が、コピー先を選択する項目ボタン９２８において選択されている外部機器が再生可能ではないと判定した解像度を含まない構成であってもよい。
【０１２９】
なお、上記の説明では、解像度がＳＤのコンテンツと解像度がＨＤのコンテンツがそれぞれ光ディスク２０およびサーバ７０ａに格納されている場合について説明したが、この構成に限定されない。例えば、解像度がＨＤのコンテンツがサーバ７０ａに格納されており、携帯端末６０に解像度がＳＤのコンテンツをコピーする場合、光ディスクプレーヤ１０ａは、サーバ７０ａから解像度がＨＤのコンテンツを自装置の記憶部にコピーし、解像度をＳＤにダウンコンバートしたコンテンツを携帯端末６０に出力してもよい。換言すると、サービス提供部１１７は、コンテンツの属性を、光ディスクプレーヤ１０ａの記憶部または外部機器に応じた属性に変換可能な構成であってもよい。
【０１３０】
さらに、サービス提供部１１７は、外部機器管理部１１９が取得した外部機器のＯＳ情報を参照し、コピー先の外部機器が再生不可能なファイル形式、解像度などを含まない項目ボタン９２９を含む映像をモニタ３０に表示させるよう、表示制御部１１８に要求してもよい。
【０１３１】
さらに、光ディスクプレーヤ１０ａは、外部機器情報を、外部機器管理部１１９が外部機器から取得する構成ではなく、ユーザに問い合わせ、操作信号取得部１１６から取得する構成であってもよい。例えば、サービス提供部１１７は、提供可能なファイル形式に対応しているＯＳ名を含む項目ボタン（第４のオブジェクト）を含む映像をモニタ３０に表示させるよう、表示制御部１１８に要求する。そして、表示制御部１１８が、当該項目ボタンを含む映像をモニタ３０に表示させている期間中に、操作信号取得部１１６は、選択されたＯＳ名を示すＯＳ情報を外部機器管理部１１９に出力する構成であってもよい。
【０１３２】
このように、本実施形態に係るサービス提供システム１ａでは、ＰＣ５０、携帯端末６０、および携帯端末８０がコンテンツを記憶する。そのため、光ディスク２０に格納されたコンテンツを、光ディスクプレーヤ１０ａおよびモニタ３０が設置されている場所以外の場所においても、視聴することができる。また、サーバ７０ａに格納されているコンテンツをコピーすることができるので、光ディスク２０にコンテンツを格納しなくても、光ディスクプレーヤ１０ａおよび外部機器は、コンテンツを視聴することができる。また、外部機器は、自機器で再生可能なコンテンツを取得することができるため、様々な外部機器においてコンテンツを視聴することができる。
【０１３３】
〔実施形態３〕
以下、本発明の第３の実施形態について、図１２を参照して詳細に説明する。図１２は、本実施形態における光ディスクプレーヤ１０ｂの表示制御部１１８がモニタ３０に表示させる映像の例である。本実施形態に係るサービス提供システム１ｂは、実施形態１における光ディスクプレーヤ１０に替えて、光ディスクプレーヤ１０ｂを備える。なお、光ディスクプレーヤ１０ｂの構成は、実施形態１における光ディスクプレーヤ１０と同じ構成であるため、説明は省略する。
【０１３４】
（ストリーミング）
上述した実施形態では、外部機器でコンテンツを再生する場合、コンテンツを外部機器にコピーしたが、外部機器は、ストリーミングによってコンテンツを再生することもできる。この場合、サービス提供部１１７は、コンテンツが格納されている格納先を示す格納先情報を、外部機器に提供する。また、サービス提供部１１７は、コンテンツをコピーするのか、ストリーミング用ファイルに含まれる格納先情報をコピーするのかを問い合わせる映像をモニタ３０に表示させるよう、表示制御部１１８に要求してもよい。当該要求を受け付けた場合に表示制御部１１８がモニタ３０に表示させる映像の例を、図１２に示す。図１２に示すように、表示制御部１１８は、コピーするファイルを選択するための項目ボタン９３０を含む映像を、モニタ３０に表示させる。この状態において、ユーザがコピーするファイルを選択するための項目ボタン９３０を選択すると、コンテンツおよびストリーミング用ファイルの何れかを選択可能なプルダウンリストが表示される。そして、サービス提供部１１７は、ユーザが選択したコピーするファイルを、コピー元からコピー先にコピーする。
【０１３５】
例えば、表示制御部１１８が、図１２に示す画像をモニタ３０に表示させている状態において、操作信号取得部１１６が、コピー元が光ディスク２０であり、コピー先が携帯端末８０であり、コピーするファイルはストリーミング用ファイルである旨を示す操作信号を取得した場合、サービス提供部１１７は、ディスク情報取得部１１１から当該ストリーミング用ファイルを取得し、携帯端末８０に出力する。携帯端末８０は、光ディスクプレーヤ１０ｂから出力されたストリーミング用ファイルを取得し、記憶部に格納する。携帯端末８０は、取得したストリーミング用ファイルを参照し、当該ストリーミング用ファイルに含まれる格納先情報が示す格納先にアクセスすることにより、コンテンツをストリーミングによって再生することができる。
【０１３６】
このように、本実施形態に係るサービス提供システム１ｂでは、光ディスクプレーヤ１０ｂおよび外部機器は、コンテンツの格納先を示す格納先情報を取得する。そのため、光ディスクプレーヤ１０ｂおよび外部機器は、コンテンツを格納しなくても、コンテンツを再生することができる。
【０１３７】
〔実施形態４〕
以下、本発明の第４の実施形態について、図１３および図１４を参照して詳細に説明する。図１３は、本実施形態におけるサービス管理テーブルの例であり、図１４は、本実施形態における光ディスクプレーヤ１０ｃの表示制御部１１８がモニタ３０に表示させる映像の例である。本実施形態に係るサービス提供システム１ｃは、実施形態１における光ディスクプレーヤ１０に替えて、光ディスクプレーヤ１０ｃを備え、サーバ７０に替えてサーバ７０ｃを備える。なお、光ディスクプレーヤ１０ｃおよびサーバ７０ｃの構成は、それぞれ実施形態１における光ディスクプレーヤ１０およびサーバ７０と同じ構成であるため、説明は省略する。
【０１３８】
（サービス管理テーブル）
本実施形態におけるサービス管理テーブルは、実施形態１におけるサービス管理テーブルに加えて、項目「プレーヤＩＤ」を含んでいる。また、実施形態１におけるサービス管理テーブルとは異なり、１つのディスクＩＤに複数のリデンプションコードが関連付けられている。
【０１３９】
項目「プレーヤＩＤ」は、光ディスクプレーヤを他の光ディスクプレーヤから識別する情報である。そのため、本実施形態では、光ディスクプレーヤ１０ｃの認証リクエスト部１１４は、ディスクＩＤおよびリデンプションコードの認証を要求する際に、ディスクＩＤおよびリデンプションコードに加えて、プレーヤＩＤを出力する。なお、本実施形態におけるサービス管理テーブルは、プレーヤＩＤに替えて、ユーザを他のユーザから識別するユーザＩＤを含む構成であってもよい。
【０１４０】
（サーバ７０ｃの認証処理）
本実施形態におけるサーバ７０ｃが認証する方法について、説明する。
【０１４１】
サーバ７０ｃの認証要求受付部７１１は、光ディスクプレーヤ１０ｃから、ディスクＩＤ、リデンプションコード、およびプレーヤＩＤを受信すると、受信したディスクＩＤ、リデンプションコード、およびプレーヤＩＤを認証部７１２に出力する。認証部７１２は、取得したディスクＩＤおよびプレーヤＩＤをサービス管理部７１３に出力する。サービス管理部７１３は、サービス管理テーブルを参照し、取得したディスクＩＤおよびプレーヤＩＤに関連付けられているリデンプションコードおよび認証期限を示す日時を認証部７１２に出力する。
【０１４２】
認証部７１２は、ディスクＩＤを取得したのが認証期限内であるか否か、および、認証要求受付部７１１から取得したリデンプションコードと、サービス管理部７１３から取得したリデンプションコードとが一致するか否かを判定する。ディスクＩＤを取得したのが認証期限内であり、認証要求受付部７１１から取得したリデンプションコードとサービス管理部７１３から取得したリデンプションコードとが一致する場合、認証部７１２は、認証要求受付部７１１から取得したディスクＩＤおよびリデンプションコードが認証されたことを示す認証結果にサービス情報を含め、認証結果出力部７１４に出力する。
【０１４３】
一方、ディスクＩＤを取得したのが認証期限内ではない場合、または、認証要求受付部７１１から取得したリデンプションコードと、サービス管理部７１３から取得したリデンプションコードとが一致しない場合、認証部７１２は、認証要求受付部７１１から取得したディスクＩＤとリデンプションコードとを認証しないことを示す認証結果を、認証結果出力部７１４に出力する。認証結果出力部７１４は、取得した認証結果を光ディスクプレーヤ１０ｃに出力する。また、リデンプションコードに認証期限を設けて、リデンプションコードを取得した時点が認証期限内ではない場合、認証部７１２は、リデンプションコードを認証しないことを示す認証結果を、認証結果出力部７１４に出力してもよい。
【０１４４】
例えば、サービス管理部７１３が図１３に示すサービス管理テーブルを管理している状態において、認証部７１２は、「２０１４／９／１」にディスクＩＤ「０００５」、リデンプションコード「ＥＥＥＥＥＥ」、およびプレーヤＩＤ「１２ＡＢ」を取得した場合、認証部７１２は、ディスクＩＤ「０００５」およびプレーヤＩＤ「１２ＡＢ」をサービス管理部７１３に出力する。サービス管理部７１３は、取得したディスクＩＤおよびプレーヤＩＤに関連付けられているリデンプションコード「ＥＥＥＥＥＥ」および認証期限「２０１５／９／３１」を認証部７１２に出力する。認証部７１２は、ディスクＩＤを取得したのが「２０１５／９／３１」の期限内であるか否かを判定する。また、認証要求受付部７１１から取得したリデンプションコード「ＥＥＥＥＥＥ」と、サービス管理部７１３から取得したリデンプションコード「ＥＥＥＥＥＥ」とが一致するか否かを判定する。ディスクＩＤを取得したのが認証期限内であり、認証要求受付部７１１から取得したリデンプションコードとサービス管理部７１３から取得したリデンプションコードとが一致するので、認証部７１２は、認証要求受付部７１１から取得したディスクＩＤおよびリデンプションコードが認証されたことを示す認証結果に、「コンテンツコピー」があと「３回」提供できることを示すサービス情報を含め、認証結果出力部７１４に出力する。
【０１４５】
（認証後の光ディスクプレーヤ１０ｃの処理）
光ディスクプレーヤ１０ｃのリデンプションコード管理部１１３は、サーバ７０ｃから取得した認証結果がディスクＩＤおよびリデンプションコードが認証されたことを示す場合、サービス提供部１１７に対して条件付きサービスの提供を許可する。
【０１４６】
例えば、光ディスクプレーヤ１０ｃからサーバ７０ｃに認証要求する際に、ディスクＩＤ「０００５」、リデンプションコード「ＥＥＥＥＥＥ」、およびプレーヤＩＤ「３４ＣＤ」を送信した場合、サーバ７０ｃは、ディスクＩＤおよびリデンプションコードが認証されたことを示す認証結果であって、条件付きサービスはコンテンツコピーであり、あと１回コンテンツをコピー可能であることを示すサービス情報が含まれた認証結果を光ディスクプレーヤ１０ｃに送信する。この場合、光ディスクプレーヤ１０ｃのサービス提供部１１７は、通常サービスであるコンテンツの再生を受け付ける再生ボタン９０９およびサービス情報が示す条件付きサービスであるコンテンツのコピーを受け付けるコピーボタン９１０を含む映像をモニタ３０に表示させるよう、表示制御部１１８に要求する。表示制御部１１８は、図１４の（ａ）に示すように、再生ボタン９０９およびコピーボタン９１０を含む映像を表す映像信号を、モニタ３０に提供する。
【０１４７】
また、例えば、光ディスクプレーヤ１０ｃからサーバ７０ｃに認証要求する際に、ディスクＩＤ「０００５」、リデンプションコード「ＦＦＦＦＦＦ」、およびプレーヤＩＤ「５６ＥＦ」を送信した場合、サーバ７０ｃは、ディスクＩＤおよびリデンプションコードが認証されたことを示す認証結果であって、条件付きサービスはコンテンツコピーおよびゲーム配信であり、コンテンツコピーはあと５回コピー可能であり、ゲーム配信はあと３回提供可能であることを示すサービス情報が含まれた認証結果を光ディスクプレーヤ１０ｃに送信する。この場合、光ディスクプレーヤ１０ｃのサービス提供部１１７は、通常サービスであるコンテンツの再生を受け付ける再生ボタン９０９およびサービス情報が示す条件付きサービスであるコンテンツのコピーを受け付けるコピーボタン９１０およびゲーム配信を受け付けるゲームボタン９３１を含む映像を表す映像信号をモニタ３０に表示させるよう、表示制御部１１８に要求する。表示制御部１１８は、図１４の（ｂ）に示すように、再生ボタン９０９、コピーボタン９１０、およびゲームボタン９３１を含む映像を表す映像信号を、モニタ３０に提供する。
【０１４８】
また、例えば、光ディスクプレーヤ１０ｃからサーバ７０ｃに認証要求する際に、ディスクＩＤ「０００５」、リデンプションコード「ＧＧＧＧＧＧ」、およびプレーヤＩＤ「７８ＧＨ」を送信した場合、サーバ７０ｃは、ディスクＩＤおよびリデンプションコードが認証されたことを示す認証結果であって、条件付きサービスはコンテンツコピー、ゲーム配信、および音楽ＣＤ送付であり、コンテンツコピーは制限なくコピー可能であり、ゲーム配信は制限なく提供可能であり、音楽ＣＤ送付はあと１回提供可能であることを示すサービス情報が含まれた認証結果を光ディスクプレーヤ１０ｃに送信する。この場合、光ディスクプレーヤ１０ｃのサービス提供部１１７は、通常サービスであるコンテンツの再生を受け付ける再生ボタン９０９、サービス情報が示す条件付きサービスであるコンテンツのコピーを受け付けるコピーボタン９１０、ゲーム配信を受け付けるゲームボタン９３１、および音楽ＣＤ送付を受け付ける音楽ＣＤプレゼントボタン９３２を含む映像を表す映像信号をモニタ３０に表示させるよう、表示制御部１１８に要求する。表示制御部１１８は、図１４の（ｂ）に示すように、再生ボタン９０９、コピーボタン９１０、ゲームボタン９３１、および音楽ＣＤプレゼントボタン９３２を含む映像を表す映像信号を、モニタ３０に提供する。
【０１４９】
このように、本実施形態に係るサービス提供システム１ｃでは、１つのディスクＩＤに対して、複数のリデンプションコードが関連付けられている。そのため、例えば、ある映画のコンテンツが格納された光ディスク全てに同一のディスクＩＤを付し、提供可能な条件付きサービス毎にリデンプションコードを付す。この構成により、サービス提供システム１ｃは、ユーザが望む条件付きサービスに対応した光ディスクを提供することができる。
【０１５０】
〔実施形態５〕
以下、本発明の第５の実施形態について、図１５および図１６を参照して詳細に説明する。図１５は、本実施形態におけるサービス管理テーブルの例であり、図１６は、本実施形態において光ディスクプレーヤ１０ｄの表示制御部１１８がモニタ３０に表示させる映像のさらに他の例である。本実施形態に係るサービス提供システム１ｄは、実施形態１における光ディスクプレーヤ１０に替えて、光ディスクプレーヤ１０ｄを備え、サーバ７０に替えてサーバ７０ｄを備える。なお、光ディスクプレーヤ１０ｄおよびサーバ７０ｄの構成は、それぞれ実施形態１における光ディスクプレーヤ１０およびサーバ７０と同じ構成であるため、説明は省略する。また、サーバ７０ｄが実行する認証処理、および認証結果を出力する処理については、上述した実施形態４におけるサーバ７０ｃが認証する方法と同じであるため、説明は省略する。
【０１５１】
（サービス管理テーブル）
本実施形態におけるサービス管理テーブルは、実施形態１におけるサービス管理テーブルに加えて、実施形態４と同様、項目「プレーヤＩＤ」を含んでいる。また、実施形態１におけるサービス管理テーブルとは異なり、複数のディスクＩＤに１つのリデンプションコードが関連付けられている。そのため、項目「サービス２」は、複数のディスクＩＤおよび当該複数のディスクＩＤに関連付けられた１つのリデンプションコードが認証された場合に、提供可能なサービスを示している。
【０１５２】
例えば、ディスクＩＤ「０００６」およびリデンプションコード「ＨＨＨＨＨＨ」が認証された場合、提供可能な条件付きサービスは、コンテンツをあと３回コピーできることである。この状態において、さらに、ディスクＩＤ「０００７」およびリデンプションコード「ＨＨＨＨＨＨ」が認証され、さらに、ディスクＩＤ「０００８」リデンプションコード「ＨＨＨＨＨＨ」が認証された場合、提供可能な条件付きサービスは、各ディスクＩＤおよびリデンプションコードが認証された場合に提供される条件付きサービスに加えて、項目「サービス２」および項目「制限２」に格納されている内容である特定映像配信を１回提供できる条件付きサービスが提供可能となる。
【０１５３】
（認証後の光ディスクプレーヤ１０ｄの処理）
光ディスクプレーヤ１０ｄのリデンプションコード管理部１１３は、サーバ７０ｄから取得した認証結果がディスクＩＤおよびリデンプションコードが認証されたことを示す場合、サービス提供部１１７に対して条件付きサービスの提供を許可する。
【０１５４】
例えば、光ディスクプレーヤ１０ｄからサーバ７０ｄに認証要求する際に、ディスクＩＤ「０００６」、リデンプションコード「ＨＨＨＨＨＨ」、およびプレーヤＩＤ「１２ＡＢ」を送信した場合、サーバ７０ｄは、ディスクＩＤおよびリデンプションコードが認証されたことを示す認証結果であって、条件付きサービスはコンテンツコピーであり、あと３回コピー可能であることを示すサービス情報が含まれた認証結果を光ディスクプレーヤ１０ｄに送信する。この場合、光ディスクプレーヤ１０ｄのサービス提供部１１７は、通常サービスであるコンテンツの再生を受け付ける再生ボタン９０９およびサービス情報が示す条件付きサービスであるコンテンツのコピーを受け付けるコピーボタン９１０を含む映像を表す映像信号をモニタ３０に表示させるよう、表示制御部１１８に要求する。表示制御部１１８は、図１６の（ａ）に示すように、再生ボタン９０９およびコピーボタン９１０を含む映像を表す映像信号を、モニタ３０に提供する。
【０１５５】
この場合、サーバ７０ｄは、出力する認証結果に、現時点では提供可能ではないが、複数のディスクＩＤと、当該複数のディスクＩＤに関連付けられた１つのリデンプションコードとが認証された場合に提供可能となるサービスの内容を、認証結果に含める構成であってもよい。この場合、光ディスクプレーヤ１０ｄのサービス提供部１１７は、上述した再生ボタン９０９およびコピーボタン９１０に加えて、現時点では提供できないことを示すためにグレーアウトさせた、特典映像配信を受け付ける特典映像ボタン９３３ａを含む映像を表す映像信号をモニタ３０に表示させるよう、表示制御部１１８に要求する。表示制御部１１８は、図１６の（ａ）に示すように、再生ボタン９０９およびコピーボタン９１０に加えて、グレーアウトさせた特典映像ボタン９３３ａを含む映像を表す映像信号を、モニタ３０に提供する。
【０１５６】
なお、図１６の（ａ）に示す映像をモニタ３０が表示している期間において、グレーアウトさせた特典映像ボタン９３３ａを押されたことを示す操作信号を操作信号取得部１１６が取得した場合、サービス提供部１１７は、図１６の（ｃ）に示すように、特典映像を見るための方法を示すメッセージ９３４を含む映像をモニタ３０に表示させてもよい。
【０１５７】
続いて、サーバ７０ｄが、ディスクＩＤ「０００７」、リデンプションコード「ＨＨＨＨＨＨ」、およびプレーヤＩＤ「１２ＡＢ」を受信し、さらに、ディスクＩＤ「０００８」、リデンプションコード「ＨＨＨＨＨＨ」、およびプレーヤＩＤ「１２ＡＢ」を受信した場合、サーバ７０ｄは、条件付きサービスとして特典映像配信を１回提供できることを示すサービス情報を、認証結果に含める。この場合、光ディスクプレーヤ１０ｄのサービス提供部１１７は、通常サービスであるコンテンツの再生を受け付ける再生ボタン９０９、サービス情報が示す条件付きサービスであるコンテンツのコピーを受け付けるコピーボタン９１０、および特典映像配信を受け付ける特典映像ボタン９３３を含む映像を表す映像信号をモニタ３０に表示させるよう、表示制御部１１８に要求する。表示制御部１１８は、図１６の（ｂ）に示すように、再生ボタン９０９、コピーボタン９１０、および特典映像ボタン９３３を含む映像を表す映像信号を、モニタ３０に提供する。
【０１５８】
このように、本実施形態に係るサービス提供システム１ｄでは、複数のディスクＩＤに対して、当該複数のディスクＩＤに１つのリデンプションコードが関連付けられている。そのため、例えば、ある映画が３枚の光ディスクに分割して格納され、３枚の光ディスクそれぞれにディスクＩＤを付し、３つのディスクＩＤに１つのリデンプションコードを関連付けることにより、サービス提供システム１ｄでは、３枚の光ディスクを有するユーザに対してのみ提供可能な条件付きサービスを提供することができる。
【０１５９】
〔実施形態６〕
以下、本発明の第６の実施形態について、図１７を参照して詳細に説明する。図１７は、本実施形態における光ディスクプレーヤ１０ｅの表示制御部１１８がモニタ３０に表示させる映像の例である。本実施形態に係るサービス提供システム１ｅは、実施形態１における光ディスクプレーヤ１０に替えて、光ディスクプレーヤ１０ｅを備える。なお、光ディスクプレーヤ１０ｅの構成は、実施形態１における光ディスクプレーヤ１０と同じ構成であるため、説明は省略する。
【０１６０】
上述した実施形態では、ディスクＩＤおよびリデンプションコードを関連付けて格納した場合について説明したが、本実施形態では、上述した図８の（ｂ）において、ディスクＩＤおよびリデンプションコードを関連付けて格納しない旨の操作を受け付けるＮＯボタン９０８が押された場合、または予め光ディスクプレーヤ１０ｅにディスクＩＤおよびリデンプションコードを格納しない場合について説明する。
【０１６１】
光ディスクプレーヤ１０ｅでは、ディスクＩＤおよびリデンプションコードを関連付けて格納していないため、ステップＳ１０２においてディスクＩＤを取得する度に、ステップＳ１０８のおける判定の結果に関わらず、ユーザに対してリデンプションコードの入力を促す。さらに、光ディスクプレーヤ１０ｅは、ディスクＩＤを取得し、当該ディスクＩＤのディスク情報を読み取ることができる状態において、外部機器管理部１１９が新たな外部機器から接続要求を受け付けると（換言すると、外部機器管理部１１９が外部機器を検出したとき）、リデンプションコードの入力を促す映像をモニタ３０に表示させる（表示制御工程）。
【０１６２】
例えば、外部機器管理部１１９が新たな外部機器から接続要求を受け付けると、サービス提供部１１７は、新たな外部機器を検出したため、リデンプションコードを入力するか否かを問い合わせるメッセージを含む映像をモニタ３０に表示させるよう、表示制御部１１８に要求する。表示制御部１１８は、当該要求を受け付けると、図１７に示すように、新たな外部機器を検出したため、リデンプションコードを入力するか否かを問い合わせるメッセージ９３９、リデンプションコードを入力する旨を受け付けるＹＥＳボタン９４０、およびリデンプションコードを入力しない旨を受け付けるＮＯボタン９４１を含む映像をモニタ３０に提供する。
【０１６３】
表示制御部１１８が図１７に示す映像をモニタ３０に表示させている状態において、操作信号取得部１１６がリデンプションコードを入力する旨を受け付けるＹＥＳボタン９４０を押されたことを示す操作信号を取得した場合、サービス提供部１１７は、上述した図８の（ａ）に示すようなリデンプションコードの入力を促す映像をモニタ３０に表示させるよう、表示制御部１１８に要求する。一方、表示制御部１１８が図１７に示す映像をモニタ３０に表示させている状態において、操作信号取得部１１６がリデンプションコードを入力しない旨を受け付けるＮＯボタン９４１を押されたことを示す操作信号を取得した場合、サービス提供部１１７は、条件付きサービスを提供せず、通常サービスのみを提供する。
【０１６４】
また、サービス提供部１１７は、外部機器を用いた条件付きサービスを提供開始するときに、リデンプションコードを入力するか否かを問い合わせるメッセージを含む映像をモニタ３０に表示させるよう、表示制御部１１８に要求してもよい。例えば、表示制御部１１８が上述した図１１の（ｂ）に示す映像をモニタ３０に表示させている状態において、操作信号取得部１１６がコピー先として外部機器（例えば、携帯端末６０）が選択されたことを示す操作信号を取得した場合、サービス提供部１１７は、上述した図８の（ａ）に示すようなリデンプションコードの入力を促す映像をモニタ３０に表示させるよう、表示制御部１１８に要求する構成であってもよい。
【０１６５】
このように、本実施形態に係るサービス提供システム１ｅでは、光ディスクプレーヤ１０ｅは、光ディスク２０を装填する度にリデンプションコードを入力させるので、不正なサービス利用をより効果的に排除することができる。また、光ディスクプレーヤ１０ｅは、外部機器を用いた条件付きサービスを提供開始するときに、リデンプションコードを入力させるので、不正なサービス利用をさらに効果的に排除することができる。さらに、光ディスクプレーヤ１０ｅは、新たな外部機器が接続されると、リデンプションコードを入力させる。そのため、光ディスクプレーヤ１０ｅは、不正なサービス利用をさらに効果的に排除することができる。
【０１６６】
〔実施形態７〕
以下、本発明の第７の実施形態について、図１８〜図２２を参照して詳細に説明する。
【０１６７】
（サービス提供システム１ｆの概略）
本実施形態に係るサービス提供システム１ｆは、上述したサービス提供システム１における光ディスクプレーヤ１０に替えて光ディスクプレーヤ１０ｆを含み、サーバ７０に替えてサーバ７０ｆを含んでいる。サービス提供システム１ｆでは、サーバ７０ｆが光ディスクプレーヤ１０ｆに対して条件付きサービスの許諾をする。
【０１６８】
（光ディスクプレーヤ１０ｆ）
図１８は、本発明の実施形態７における光ディスクプレーヤ１０ｆのＣＰＵによって実現される主要な機能を示す機能ブロック図である。光ディスクプレーヤ１０ｆのＣＰＵは、図１８に示すように、上述した光ディスクプレーヤ１０のＣＰＵにおける認証結果取得部１１５に替えて、許諾結果取得部１３０として機能する。
【０１６９】
許諾結果取得部１３０は、通信Ｉ／Ｆ１４を介して、条件付きサービスの提供を許諾することを示す許諾結果を取得する。
【０１７０】
（サーバ７０ｆ）
図１９は、本発明の実施形態７におけるサーバ７０ｆのＣＰＵによって実現される主要な機能を示す機能ブロック図である。サーバ７０ｆのＣＰＵは、図１９に示すように、上述したサーバ７０のＣＰＵにおける認証結果出力部に替えて、許諾結果出力部７３０として機能する。
【０１７１】
許諾結果出力部７３０は、認証部７１２による認証結果に応じて、許諾結果または条件付きサービスの提供を許諾しないことを示すエラーコードを出力する。
【０１７２】
（光ディスクプレーヤ１０ｆの処理の流れ）
光ディスクプレーヤ１０ｆが実行する処理（光ディスクプレーヤ１０ｆのサービス提供方法）について、図２０および図２２を参照して説明する。図２０は、本発明の実施形態７における光ディスクプレーヤ１０ｆの処理の流れを示すフローチャートである。図２２は、本発明の実施形態７における光ディスクプレーヤ１０ｆの表示制御部１１８がモニタ３０に表示させる映像の例である。
【０１７３】
まず、光ディスクプレーヤ１０ｆが光ディスクの挿入を検出するステップＳ１００から、ディスクＩＤ管理部１１２は、取得したディスクＩＤを記憶部に格納するステップＳ１０６までの処理については、上述した処理と同じであるため、説明は省略する。
【０１７４】
ステップＳ１５０：ディスクＩＤ管理部１１２は、取得したディスクＩＤを、通信Ｉ／Ｆ１４を介して、サーバ７０ｆに出力する。なお、ディスクＩＤ管理部１１２は、当該ディスクＩＤを出力するとともに、当該ディスクＩＤに関連付けられている条件付きサービスを示すサービス情報を出力するよう、サーバ７０ｆに要求する構成であってもよい。
【０１７５】
ステップＳ１５２：サービス提供部１１７は、サーバ７０ｆから、サービス情報を取得する。そして、サービス提供部１１７は、取得したサービス情報が示す条件付きサービスを表すオブジェクトおよび通常サービスを表すオブジェクトを含む映像をモニタ３０に表示させるよう、表示制御部１１８に要求する。
【０１７６】
ステップＳ１５４：表示制御部１１８は、当該要求を受け付けると、条件付きサービスを表すオブジェクトおよび通常サービスを表すオブジェクトを含む映像をモニタ３０に表示させる。例えば、表示制御部１１８は、図２２の（ａ）に示すように、条件付きサービスを表すコピーボタン９１０ａ（第５のオブジェクト）と通常サービスを表す再生ボタン９０９（第６のオブジェクト）を含む映像をモニタ３０に表示させる。
【０１７７】
なお、ステップＳ１５４においては、サーバ７０ｆから許諾結果を取得していないため、サービス提供部１１７は、条件付きサービスを表すオブジェクトと通常サービスを表すオブジェクトとを異なる態様（第１の態様）にて識別表示させるよう、表示制御部１１８に要求する構成が好ましい。この場合、表示制御部１１８は、図２２の（ａ）に示すように、条件付きサービスを表すコピーボタン９１０ａはグレーアウトさせて表示させる。なお、識別表示はグレーアウトに限定されず、例えば、オブジェクトに「×」を重畳させて表示させる方法などであってもよい。
【０１７８】
また、サービス提供部１１７は、条件付きサービスはリデンプションコードを入力することにより利用可能となることをユーザに通知するため、リデンプションコードの入力をユーザに促すオブジェクト（第７のオブジェクト）を含む映像をモニタ３０に表示させるよう、表示制御部１１８に要求する構成が好ましい。この場合、表示制御部１１８は、図２２の（ａ）に示すように、リデンプションコードの入力を促すリデンプションコード入力ボタン９３５を含む映像をモニタ３０に表示させる。
【０１７９】
また、ステップＳ１５４においては、サーバ７０ｆから許諾結果を取得していないが、条件付きサービスを有効にしたオブジェクトを表示するよう、表示制御部１１８に要求する構成であってもよい。例えば、条件付きサービスがコンテンツのコピーおよびゲーム配信であった場合、表示制御部１１８は、図２２の（ｃ）に示すように、条件付きサービスの内容を示すコピーボタン９１０およびゲームボタン９３１を含む映像をモニタ３０に表示させる。この状態において、操作信号取得部１１６がコピーボタン９１０またはゲームボタン９３１を押されたことを示す操作信号を取得した場合、サービス提供部１１７は、リデンプションコードの入力を促すオブジェクトを含む映像をモニタ３０に表示させるよう、表示制御部１１８に要求する。表示制御部１１８は、当該要求を受け付けると、例えば、図２２の（ｄ）に示すように、リデンプションコードの入力を促すメッセージ９３６、リデンプションコードを入力する旨を受け付けるＹＥＳボタン９３７、およびリデンプションコードを入力しない旨を受け付けるＮＯボタン９３８を含む映像をモニタ３０に表示させる。
【０１８０】
続いて、リデンプションコード管理部１１３が、取得したディスクＩＤに関連付けられたリデンプションコードは記憶部に格納済であるか否かを判定するステップＳ１０８から、認証リクエスト部１１４が、ディスクＩＤおよびリデンプションコードをサーバ７０ｆに送信するステップＳ１１４までの処理については、上述した処理と同じであるため、説明は省略する。
【０１８１】
ステップＳ１５６（許諾結果取得工程）：許諾結果取得部１３０は、サーバ７０ｆから許諾結果を取得したか否かを判定する。
【０１８２】
ステップＳ１１８：ステップＳ１５６において、「許諾結果を取得した」と判定された場合（ステップＳ１５６：ＹＥＳ）、リデンプションコード管理部１１３は、ディスクＩＤとリデンプションコードとを関連付けて記憶部に格納する。
【０１８３】
ステップＳ１５８：リデンプションコード管理部１１３は、上記許諾結果を取得すると、サービス提供部１１７に対して条件付きサービスの提供を許可する。そして、サービス提供部１１７は、条件付きサービスを提供可能であることを示すオブジェクトを含む映像をモニタ３０に表示させるよう、表示制御部１１８に要求する。例えば、表示制御部１１８は、図２２の（ｂ）に示すように、コピーボタン９１０ａのグレーアウトを解除（識別表示を解除）したコピーボタン９１０を含む映像をモニタ３０に表示させる。ここで、表示制御部１１８は、上述したリデンプションコードの入力を促すリデンプションコード入力ボタン９３５に替えて、グレーアウトさせたリデンプションコード入力ボタン９３５ａをモニタ３０に表示させてもよい。
【０１８４】
なお、表示制御部１１８は、条件付きサービスを提供可能であることを示すオブジェクトを含む映像をモニタ３０に表示させる要求を受け付けた場合、図２２の（ａ）に示す態様とは異なる態様（第２の態様）にて、条件付きサービスを表すオブジェクトと通常サービスを表すオブジェクトとを識別表示する構成であってもよい。より具体的には、条件付きサービスが提供可能になったことを強調するため、条件付きサービスを表すオブジェクトを点滅させる、強調文字に変更する、画像効果を利用する（キラキラさせる等）といった態様にて、条件付きサービスを表すオブジェクトを表示してもよい。
【０１８５】
ステップＳ１６０：操作信号取得部１１６が、条件付きサービスの提供を受け付ける旨の操作信号を取得すると、サービス提供部１１７は、条件付きサービスを提供する。
【０１８６】
ステップＳ１６２：一方、ステップＳ１５６において、「許諾結果を取得していない」と判定された場合、換言すると、「エラーコードを取得した」と判定された場合（ステップＳ１６２：ＹＥＳ）、またはステップＳ１１２において、「リデンプションコードを取得していない」と判定された場合、サービス提供部１１７は、上述したステップＳ１５４で表示制御部１１８がモニタ３０に表示させた映像と同様の映像（条件付きサービスを表すオブジェクトおよび通常サービスを表すオブジェクトを含む映像）をモニタ３０に表示させるよう、表示制御部１１８に要求する。表示制御部１１８は、当該要求を受け付けると、条件付きサービスを表すオブジェクトおよび通常サービスを表すオブジェクトを含む映像をモニタ３０に表示させる。
【０１８７】
また、図２２の（ａ）に示すように、表示制御部１１８がグレーアウトさせたコピーボタン９１０ａを含む映像をモニタ３０に表示させている状態において、操作信号取得部１１６がコピーボタン９１０ａを押されたことを示す操作信号を取得した場合、サービス提供部１１７は、図２２の（ｄ）に示すように、リデンプションコードの入力を促すメッセージ９３６を含む映像をモニタ３０に表示させる構成であってもよい。
【０１８８】
また、サービス提供部１１７は、取得したサービス情報に含まれている、条件付きサービスを提供する回数および提供可能な期間の少なくとも何れかを示すオブジェクト（第８のオブジェクト）を含む映像をモニタ３０に表示させるよう、表示制御部１１８に要求する構成であってもよい。この場合、表示制御部１１８は、上述した図１１の（ｂ）におけるサービスの提供回数を示すメッセージ９１６およびサービスの提供期間を示すメッセージ９１７の少なくとも何れかをさらに含む映像をモニタ３０に表示させる。
【０１８９】
また、サービス提供部１１７は、取得したサービス情報に含まれないサービスを、装填された光ディスクを用いては提供できないサービスとして、当該光ディスクを用いては提供できないサービスを示すオブジェクト（第９のオブジェクト）を含む映像をモニタ３０に表示させるよう、表示制御部１１８に要求する構成であってもよい。この場合、光ディスクプレーヤ１０ｆは、装填した光ディスクでは提供できないサービスを通知することができる。
【０１９０】
（サーバ７０ｆの処理の流れ）
サーバ７０ｆが実行する処理（サーバ７０ｆのサービス提供方法）について、図２１を参照して説明する。図２１は、本発明の実施形態７におけるサーバ７０ｆの処理の流れを示すフローチャートである。
【０１９１】
ステップＳ２１０（サービス管理工程）：まず、サーバ７０ｆのサービス管理部７１３は、条件付きサービスの内容、提供する回数、および提供する期間の少なくとも何れかを管理をする。サービス管理部７１３が条件付きサービスの内容、提供する回数、および提供する期間の少なくとも何れかを管理する方法として、例えば、上述した図７におけるサービス管理テーブルを用いた方法が挙げられる。
【０１９２】
ステップＳ２１２：サービス管理部７１３は、光ディスクプレーヤ１０ｆから出力されたディスクＩＤを取得する。
【０１９３】
ステップＳ２１４：サービス管理部７１３は、取得したディスクＩＤに関連付けられているサービス情報を出力する。例えば、サービス管理部７１３が図７に示すサービス管理テーブルを管理している状態において、ディスクＩＤ「０００１」を取得した場合、サービス管理部７１３は、コンテンツのコピーがあと３回提供できることを示すサービス情報を、通信Ｉ／Ｆ７４を介して光ディスクプレーヤ１０ｆに出力する。
【０１９４】
続いて、認証要求受付部７１１がディスクＩＤとリデンプションコードとを取得し、当該ディスクＩＤとリデンプションコードとを認証する処理については、上述した処理と同じであるため、説明は省略する。
【０１９５】
ステップＳ２１６：許諾結果出力部７３０は、ステップＳ２１６において、認証部はディスクＩＤとリデンプションコードとを認証したか否かを判定する。
【０１９６】
ステップＳ２１８（許諾結果出力工程）：ステップＳ２１６において、「ディスクＩＤとリデンプションコードとは認証された」と判定された場合（ステップＳ２１６：ＹＥＳ）、許諾結果出力部７３０は、許諾結果を出力する。
【０１９７】
ステップＳ２２０：一方、ステップＳ２１６において、「ディスクＩＤとリデンプションコードとは認証されなかった」と判定された場合（ステップＳ２１６：ＮＯ）、許諾結果出力部７３０はエラーコードを出力する。
【０１９８】
このように、本実施形態に係るサービス提供システム１ｆでは、光ディスクプレーヤ１０ｆは、許諾結果を取得したか否かに関わらず、条件付きサービスと通常サービスとをモニタ３０に表示させる。そのため、光ディスクプレーヤ１０ｆは、条件付きサービスおよび通常サービスをユーザに比較させることができるうえに、条件付きサービスの提供を希望しないユーザには、リデンプションコードの入力を強いることがないので、不正なサービス利用をより効果的に排除しつつ、ユーザの利便性を向上させることができる。
【０１９９】
〔実施形態８〕
光ディスクプレーヤ１０〜１０ｆおよびサーバ７０〜７０ｄ、および７０ｆの制御ブロック（特にＣＰＵ１１およびＣＰＵ７１）は、集積回路（ＩＣチップ）等に形成された論理回路（ハードウェア）によって実現してもよいし、ＣＰＵ（Central Processing Unit）を用いてソフトウェアによって実現してもよい。
【０２００】
後者の場合、光ディスクプレーヤ１０〜１０ｆおよびサーバ７０〜７０ｄは、各機能を実現するソフトウェアである制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、該制御プログラムを伝送可能な任意の伝送媒体（通信ネットワークや放送波等）を介して上記コンピュータに供給されてもよい。なお、本発明は、上記制御プログラムが電子的な伝送によって具現化された、搬送波に埋め込まれたデータ信号の形態でも実現され得る。
【０２０１】
なお、以上では、光ディスク２０に格納されているコンテンツを再生する光ディスクプレーヤ１０である場合を例に挙げて説明したが、本発明は、リムーバブルメディアに格納されているコンテンツを再生可能な装置であれば、特に限定されない。リムーバブルメディアとしては、例えば、ＣＤ、ＤＶＤ、ＢＤ、メモリーカード、及び、ＵＳＢメモリなどを例に挙げることができる。
【０２０２】
〔まとめ〕
本発明の態様１に係る光ディスクプレーヤ（０、１０ａ、１０ｂ、１０ｃ、１０ｄ）は、対象の光ディスクから、当該対象の光ディスクを他の光ディスクから識別する情報である光ディスク識別情報（ディスクＩＤ）を取得する光ディスク識別情報取得部（ディスク情報取得部１１１）と、認証を条件とする条件付きサービスを提供するための認証用情報（リデンプションコード）を取得する認証用情報取得部（操作信号取得部１１６）と、上記光ディスク識別情報および上記認証用情報の認証をサーバに出力する情報出力部（認証リクエスト部１１４）と、上記サーバから認証結果を取得する認証結果取得部（１１５）と、少なくとも上記認証結果が上記光ディスク識別情報および上記認証用情報が認証されたことを示す場合に、上記光ディスク識別情報と上記認証用情報とを関連付けて管理する管理部（リデンプションコード管理部１１３）と、上記認証結果が上記光ディスク識別情報および上記認証用情報が認証されたことを示す場合に、上記条件付きサービスを提供するサービス提供部（１１７）と、を備える。
【０２０３】
上記の構成によれば、光ディスクプレーヤは、対象の光ディスクを他の光ディスクから識別する光ディスク識別情報に加えて、認証を条件とする条件付きサービスを提供するための認証用情報を取得し、光ディスク識別情報および認証用情報をサーバに出力する。そのため、光ディスクプレーヤは、条件付きサービスの不正利用をより効果的に排除することができる。さらに、光ディスクプレーヤは、サーバの認証結果が少なくとも光ディスク識別情報および認証用情報が認証されたことを示す場合、光ディスク識別情報および認証用情報を関連付けて管理する。そのため、光ディスクプレーヤは、一旦ユーザによって入力された認証用情報の入力を再度ユーザに強いることなく、条件付きサービスを提供できる。したがって、光ディスクプレーヤは、不正なサービス利用をより効果的に排除しつつ、ユーザの利便性を向上させることができる。
【０２０４】
本発明の態様２に係る光ディスクプレーヤは、上記態様１において、上記情報出力部は、当該光ディスクプレーヤを他の光ディスクプレーヤから識別する情報である機器識別情報をさらに出力し、上記サービス提供部は、上記認証結果が上記光ディスク識別情報、上記認証用情報、および上記機器識別情報が認証されたことを示す場合に、上記条件付きサービスを提供してもよい。
【０２０５】
上記の構成によれば、不正な光ディスクプレーヤが不正にサービスを提供することを防ぐことができる。
【０２０６】
本発明の態様３に係る光ディスクプレーヤは、上記態様１または２において、表示装置にオブジェクトを出力するオブジェクト出力部（表示制御部１１８）をさらに備え、上記オブジェクト出力部は、上記認証結果が上記光ディスク識別情報および上記認証用情報を認証することを示す場合、上記光ディスク識別情報と上記認証用情報との関連付けを維持するか否かをユーザに問い合わせるオブジェクトである第１のオブジェクトを上記表示装置に出力してもよい。
【０２０７】
上記の構成によれば、光ディスクプレーヤは、光ディスク識別情報と認証用情報との関連付けを維持するか否かをユーザに問い合わせる。そのため、光ディスクプレーヤは、光ディスク識別情報および認証用情報を関連付けるか否かを、ユーザに選択させることができる。
【０２０８】
本発明の態様４に係る光ディスクプレーヤは、上記態様３において、上記オブジェクト出力部は、上記条件付きサービスの内容を表すオブジェクトである第２のオブジェクトを、上記表示装置に出力してもよい。
【０２０９】
上記の構成によれば、光ディスクプレーヤは、光ディスク識別情報と認証用情報とが認証された場合に提供可能な条件付きサービスの内容をユーザに提示することができる。
【０２１０】
本発明の態様５に係る光ディスクプレーヤは、上記態様１〜４において、記憶部（ＨＤＤ１３）をさらに備え、上記サービス提供部は、上記条件付きサービスとして上記光ディスクに格納されているコンテンツを上記記憶部または外部機器にコピーしてもよい。
【０２１１】
上記の構成によれば、光ディスクプレーヤは、条件付きサービスとして、光ディスクに格納されているコンテンツを自装置の記憶部または外部機器にコピーすることができる。
【０２１２】
本発明の態様６に係る光ディスクプレーヤは、上記態様５において、上記サービス提供部は、上記記憶部または外部機器に応じた属性のコンテンツを上記記憶部または外部機器にコピーしてもよい。
【０２１３】
上記の構成によれば、光ディスクプレーヤは、自装置の記憶部または外部機器に応じた属性のコンテンツをコピーするので、自装置の記憶部の容量や外部機器の仕様に応じて、再生可能なコンテンツをコピーすることができる。
【０２１４】
本発明の態様７に係る光ディスクプレーヤは、上記態様３または４における態様５における態様６において、上記オブジェクト出力部は、上記記憶部または外部機器に応じた属性をユーザに問い合わせるオブジェクトである第３のオブジェクトを、上記表示装置に出力してもよい。
【０２１５】
上記の構成によれば、光ディスクプレーヤは、自装置の記憶部または外部機器に応じた属性をユーザに選択させることができる。
【０２１６】
本発明の態様８に係る光ディスクプレーヤは、上記態様６または７において、上記サービス提供部は、上記光ディスクもしくは外部サーバから上記記憶部もしくは外部機器に応じた属性のコンテンツを取得し、上記記憶部もしくは外部機器にコピーする、または、上記光ディスクもしくは外部サーバから取得したコンテンツを、上記記憶部もしくは外部機器に応じた属性のコンテンツに変換したうえで、上記記憶部もしくは外部機器にコピーしてもよい。
【０２１７】
上記の構成によれば、光ディスクプレーヤは、光ディスクまたは外部サーバに格納されているコンテンツであって、自装置の記憶部または外部機器に応じた属性のコンテンツを、記憶部または外部機器にコピーする。また、光ディスクプレーヤは、光ディスクまたは外部サーバに格納されているコンテンツを、自装置の記憶部または外部機器に応じた属性のコンテンツに変換したうえで、記憶部または外部機器にコピーする。そのため、光ディスクプレーヤは、コンテンツの格納先および格納されているコンテンツの属性に関わらず、記憶部または外部機器に応じたコンテンツを、記憶部または外部機器にコピーすることができる。
【０２１８】
本発明の態様９に係る光ディスクプレーヤは、上記態様６〜８において、上記外部機器に関する情報である外部機器情報および上記外部機器と当該光ディスクプレーヤとの通信速度に関する情報である通信速度情報の少なくとも何れかを取得する外部機器情報取得部（外部機器管理部１１９）をさらに備え、上記サービス提供部は、上記外部機器に応じた属性のコンテンツを上記外部機器にコピーする場合に、上記外部機器情報取得部が取得した外部機器情報および通信速度情報の少なくとも何れかを参照し、上記外部機器または上記通信速度に応じた属性のコンテンツを上記外部機器にコピーしてもよい。
【０２１９】
上記の構成によれば、光ディスクプレーヤは、外部機器情報を参照し、外部機器に応じた属性のコンテンツを外部機器にコピーする。そのため、光ディスクプレーヤは、外部機器の仕様に応じたコンテンツを、外部機器にコピーすることができる。また、光ディスクプレーヤは、通信速度情報を参照し、外部機器に応じた属性のコンテンツを外部機器にコピーする。そのため、光ディスクプレーヤは、外部機器との通信環境に応じたコンテンツを、外部機器にコピーすることができる。
【０２２０】
本発明の態様１０に係る光ディスクプレーヤは、上記態様９において、上記オブジェクト出力部は、上記外部機器情報をユーザに問い合わせるオブジェクトである第４のオブジェクトを、上記表示装置に出力してもよい。
【０２２１】
上記の構成によれば、光ディスクプレーヤは、外部機器情報をユーザに入力させることができる。
【０２２２】
本発明の態様１１に係る光ディスクプレーヤは、上記態様６〜１０において、上記管理部は、上記光ディスク識別情報と上記認証用情報とを外部機器に記憶させることにより、上記光ディスク識別情報と上記認証用情報とを管理してもよい。
【０２２３】
上記の構成によれば、光ディスクプレーヤは、光ディスク識別情報と上記認証用情報とを外部機器に記憶させ、管理する。そのため、光ディスクプレーヤは、他の光ディスクプレーヤに上記光ディスク識別情報によって識別される光ディスクを装填した場合であっても、条件付きサービスを提供することができる。
【０２２４】
本発明の態様１２に係る光ディスクプレーヤは、上記態様１〜１１において、上記サービス提供部は、上記光ディスクに格納されているコンテンツに関連付けられたサービスであって、外部サーバから取得したサービスを上記条件付きサービスとして提供してもよい。
【０２２５】
上記の構成によれば、光ディスクプレーヤは、外部サーバから取得したサービスを提供する。そのため、光ディスクプレーヤは、様々なサービスを提供することができる。
【０２２６】
本発明の態様１３に係る光ディスクプレーヤは、上記態様５〜１１において、上記サービス提供部は、上記条件付きサービスとして、上記記憶部にコピーされた上記コンテンツを、上記外部機器にコピーしてもよい。
【０２２７】
上記の構成によれば、光ディスクプレーヤは、自装置の記憶部にコピーされたコンテンツを、外部機器にコピーすることができる。
【０２２８】
本発明の態様１４に係る光ディスクプレーヤは、上記態様１〜４において、上記サービス提供部は、上記条件付きサービスとして、外部サーバに格納されているコンテンツの格納先を示す格納先情報を外部機器に提供してもよい。
【０２２９】
上記の構成によれば、光ディスクプレーヤは、外部サーバに格納されているコンテンツの格納先を示す格納先情報を外部機器に提供する。そのため、光ディスクプレーヤは、装填された光ディスクにコンテンツが格納されていない場合であっても、外部機器にコンテンツを提供することができる。
【０２３０】
本発明の態様１５に係るサーバ（７０、７０ａ、７０ｃ、７０ｄ）は、対象の光ディスクを他の光ディスクから識別する情報である光ディスク識別情報と、認証を条件とする条件付きサービスを提供するための認証用情報とを取得する情報取得部（認証要求受付部７１１）と、上記情報取得部が取得した光ディスク識別情報および認証用情報を認証する認証部（７１２）と、上記認証部の認証結果を出力する認証結果出力部（７１４）と、を備え、上記条件付きサービスには、コンテンツのコピー、ボーナス要素を持つコンテンツ、アプリ、カレンダーの利用、付加的サービスに参加する権利の取得、およびギフトの取得の少なくとも何れかが含まれている。
【０２３１】
上記の構成によれば、サーバは、上記態様１と同様の効果を奏する。
【０２３２】
本発明の態様１６に係るサーバは、上記情報取得部は、光ディスクプレーヤを他の光ディスクプレーヤから識別する情報である機器識別情報をさらに取得し、上記認証部は、上記情報取得部が取得した機器識別情報をさらに認証してもよい。
【０２３３】
上記の構成によれば、サーバは、上記態様２と同様の効果を奏する。
【０２３４】
本発明の態様１７に係るサーバは、上記態様１５または１６において、上記認証部は、上記情報取得部が認証用情報を取得した時点が、所定の期間に含まれているか否かを認証してもよい。
【０２３５】
上記の構成によれば、サーバは、所定の期間を過ぎている場合は、認証しない。そのため、サーバは、不正なサービス利用をさらに効果的に排除することができる。
【０２３６】
本発明の態様１８に係るサーバは、上記態様１５から１７において、光ディスク識別情報に対して、１または複数の認証用情報が予め関連付けられている、または、認証用情報に対して、１または複数の光ディスク識別情報が予め関連付けられていてもよい。
【０２３７】
上記の構成によれば、サーバは、光ディスク識別情報に対して、１または複数の認証用情報が予め関連付けられている場合、同一の光ディスク識別情報を付された光ディスクが装填されても、認証用情報毎に異なる条件付きサービスを提供することができる。また、サーバは、認証用情報に対して、１または複数の光ディスク識別情報が予め関連付けられている場合、１または複数の光ディスクを所有するユーザにのみ提供可能な条件付きサービスを、提供することができる。
【０２３８】
本発明の態様１９に係るサーバは、上記態様１５〜１８において、上記認証を条件とする条件付きサービスを提供する回数および期間の少なくとも何れかを管理するサービス管理部（７１３）をさらに備えてもよい。
【０２３９】
上記の構成によれば、サーバは、様々なサービスを提供することができる。
【０２４０】
本発明の態様２０に係るサービス提供システムは、光ディスクプレーヤ（１０、１０ａ、１０ｂ、１０ｃ、１０ｄ）およびサーバ（７０、７０ａ、７０ｃ、７０ｄ）を備えるサービス提供システム（１、１ａ、１ｂ、１ｃ、１ｄ）であって、上記光ディスクプレーヤは、対象の光ディスクから、当該対象の光ディスクを他の光ディスクから識別する情報である光ディスク識別情報を取得する光ディスク識別情報取得部（ディスク情報取得部１１１）と、認証を条件とする条件付きサービスを提供するための認証用情報を取得する認証用情報取得部（操作信号取得部１１６）と、上記光ディスク識別情報および上記認証用情報を上記サーバに出力する情報出力部（認証リクエスト部１１４）と、上記サーバから認証結果を取得する認証結果取得部（１１５）と、少なくとも上記認証結果が上記光ディスク識別情報および上記認証用情報が認証されたことを示す場合に、上記光ディスク識別情報と上記認証用情報とを関連付けて管理する管理部（リデンプションコード管理部１１３）と、上記認証結果が上記光ディスク識別情報および上記認証用情報が認証されたことを示す場合に、上記条件付きサービスを提供するサービス提供部（１１７）と、を備え、上記サーバは、上記光ディスク識別情報および上記認証用情報を取得する情報取得部（認証要求受付部７１１）と、上記情報取得部が取得した光ディスク識別情報および認証用情報を認証する認証部（７１２）と、上記認証部の認証結果を上記光ディスクプレーヤに出力する認証結果出力部（７１４）と、を備える。
【０２４１】
上記の構成によれば、上記態様１に係る光ディスクプレーヤと、上記態様１４に係るサーバとを備えたサービス提供システムが実現できる。
【０２４２】
本発明の態様２１に係るサービス提供方法は、対象の光ディスクから、当該対象の光ディスクを他の光ディスクから識別する情報である光ディスク識別情報を取得する光ディスク識別情報取得工程と、認証を条件とする条件付きサービスを提供するための認証用情報を取得する認証用情報取得工程と、上記光ディスク識別情報および上記認証用情報をサーバに出力する情報出力工程と、上記サーバから認証結果を取得する認証結果取得工程と、少なくとも上記認証結果が上記光ディスク識別情報および上記認証用情報が認証されたことを示す場合に、上記光ディスク識別情報と上記認証用情報とを関連付けて管理する管理工程と、上記認証結果が上記光ディスク識別情報および上記認証用情報が認証されたことを示す場合に、上記条件付きサービスを提供するサービス提供工程と、を含む。
【０２４３】
上記の構成によれば、サービス提供方法は、上記態様１と同様の効果を奏する。
【０２４４】
本発明の態様２２に係るサービス提供方法は、対象の光ディスクを他の光ディスクから識別する情報である光ディスク識別情報と、認証を条件とする条件付きサービスを提供するための認証用情報とを取得する情報取得工程と、上記情報取得工程において取得した光ディスク識別情報および認証用情報を認証する認証工程と、上記認証工程における認証結果を出力する認証結果出力工程と、を含み、上記条件付きサービスには、コンテンツのコピー、ボーナス要素を持つコンテンツ、アプリ、カレンダーの利用、付加的サービスに参加する権利の取得、およびギフトの取得の少なくとも何れかが含まれている。
【０２４５】
上記の構成によれば、サービス提供方法は、上記態様１と同様の効果を奏する。
【０２４６】
本発明の態様１〜態様１９に係る光ディスクプレーヤ（１０、１０ａ、１０ｂ、１０ｃ、１０ｄ）およびサーバ（７０、７０ａ、７０ｃ、７０ｄ）は、コンピュータによって実現してもよく、この場合には、コンピュータを上記光ディスクプレーヤおよびサーバが備える各部として動作させることにより上記光ディスクプレーヤおよびサーバをコンピュータにて実現させる光ディスクプレーヤおよびサーバの制御プログラム、およびそれを記録したコンピュータ読み取り可能な記録媒体も、本発明の範疇に入る。
【０２４７】
なお、本発明に係る光ディスクプレーヤは、以下のように表現することもできる。すなわち、本発明の別態様（態様２３）に係る光ディスクプレーヤ（１０ｅ）は、対象の光ディスクから、当該対象の光ディスクを他の光ディスクから識別する情報である光ディスク識別情報を取得する光ディスク識別情報取得部（ディスク情報取得部１１１）と、認証を条件とする条件付きサービスを提供するための認証用情報を取得する認証用情報取得部（操作信号取得部１１６）と、上記光ディスク識別情報および上記認証用情報をサーバに出力する情報出力部（認証リクエスト部１１４）と、上記サーバから認証結果を取得する認証結果取得部（１１５）と、上記認証結果が上記光ディスク識別情報および上記認証用情報が認証されたことを示す場合に、上記条件付きサービスを提供するサービス提供部（１１７）と、表示装置にオブジェクトを出力するオブジェクト出力部（表示制御部１１８）と、を備え、上記サービス提供部が外部機器を用いた上記条件付きサービスを提供開始するときに、上記オブジェクト出力部は、上記認証用情報の入力を促すオブジェクトを上記表示装置に表示させる。
【０２４８】
外部機器を用いてサービスを提供する場合、当該サービスの提供が、不正にアクセスした利用者による要求等に応じたものである可能性がある。上記の構成によれば、光ディスクプレーヤは、外部機器を用いた条件付きサービスを提供開始する時に、認証用情報を入力させる。そのため、光ディスク識別情報および認証用情報が認証された後であっても、第三者が有する外部機器を用いた条件付きサービスを提供する場合には、認証用情報を入力させるので、不正なサービス利用をより効果的に排除することができる。
【０２４９】
本発明の態様２４に係る光ディスクプレーヤは、上記態様２３において、上記情報出力部は、当該光ディスクプレーヤを他の光ディスクプレーヤから識別する情報である機器識別情報をさらに出力し、上記サービス提供部は、上記認証結果が上記光ディスク識別情報、上記認証用情報、および上記機器識別情報が認証されたことを示す場合に、上記条件付きサービスを提供してもよい。
【０２５０】
上記の構成によれば、不正な光ディスクプレーヤが不正なサービスを提供することを防ぐことができる。
【０２５１】
本発明の態様２５に係る光ディスクプレーヤは、上記態様２３または２４において、当該光ディスクプレーヤと通信可能な外部機器を検出する外部機器検出部（外部機器管理部１１９）をさらに備え、上記外部機器検出部が上記外部機器を検出したときに、上記オブジェクト出力部は、上記認証用情報の入力を促すオブジェクトを上記表示装置に表示させてもよい。
【０２５２】
上記の構成によれば、光ディスクプレーヤは、当該光ディスクプレーヤと通信可能な外部機器を検出すると、認証用情報を入力させる。そのため、光ディスクプレーヤは、光ディスク識別情報および認証用情報が認証された後であっても、第三者が有する外部機器が光ディスクプレーヤと通信する場合には、認証用情報を入力させるので、不正なサービス利用をさらに効果的に排除することができる。
【０２５３】
本発明の態様２６に係る光ディスクプレーヤは、上記態様２５において、上記外部機器検出部が検出した１または複数の外部機器のうち、上記サービス提供部が上記条件付きサービスを提供するために用いる外部機器を指定する操作を受け付ける操作受付部（操作信号取得部１１６）をさらに備え、上記操作受付部が上記外部機器を指定する操作を受け付けた場合、上記オブジェクト出力部は、上記認証用情報の入力を促すオブジェクトを上記表示装置に表示させてもよい。
【０２５４】
上記の構成によれば、光ディスクプレーヤは、条件付きサービスを提供するために用いる外部機器をユーザから指定されると、認証用情報の入力を促すオブジェクトを表示装置に表示させる。このように、外部機器を指定するときにも認証用情報を入力させるので、不正なサービス利用をさらに効果的に排除することができる。
【０２５５】
本発明の態様２７に係るサーバ（７０、７０ａ、７０ｃ、７０ｄ）は、対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得部（認証要求受付部７１１）と、上記情報取得部が取得した光ディスク識別情報および認証用情報を認証する認証部（７１２）と、上記認証部の認証結果を出力する認証結果出力部（７１４）と、を備える。
【０２５６】
上記の構成によれば、サーバは、上記態様２３と同様の効果を奏する。
【０２５７】
本発明の態様２８に係るサーバは、上記態様２７において、上記情報取得部は、光ディスクプレーヤを他の光ディスクプレーヤから識別する情報である機器識別情報をさらに取得し、上記認証部は、上記情報取得部が取得した機器識別情報をさらに認証してもよい。
【０２５８】
上記の構成によれば、サーバは、上記態様２４と同様の効果を奏する。
【０２５９】
本発明の態様２９に係るサーバは、上記態様２７または２８において、上記認証部は、上記情報取得部が認証用情報を取得した時点が、所定の期間に含まれているか否かを認証してもよい。
【０２６０】
上記の構成によれば、所定の期間を過ぎている場合は、認証しない。そのため、サーバは、不正なサービス利用をさらに効果的に排除することができる。
【０２６１】
本発明の態様３０に係るサーバは、上記態様２７から２９において、光ディスク識別情報に対して、１または複数の認証用情報が予め関連付けられている、または、認証用情報に対して、１または複数の光ディスク識別情報が予め関連付けられていてもよい。
【０２６２】
上記の構成によれば、サーバは、光ディスク識別情報に対して、１または複数の認証用情報が予め関連付けられている場合、同一の光ディスク識別情報を付された光ディスクが装填されても、認証用情報毎に異なる条件付きサービスを提供することができる。また、サーバは、認証用情報に対して、１または複数の光ディスク識別情報が予め関連付けられている場合、１または複数の光ディスクを所有するユーザにのみ提供可能な条件付きサービスを、提供することができる。
【０２６３】
本発明の態様３１に係るサーバは、上記態様２７から３０において、上記認証を条件とする条件付きサービスを提供する回数および期間の少なくとも何れかを管理するサービス管理部（７１３）をさらに備えてもよい。
【０２６４】
上記の構成によれば、サーバは、様々なサービスを提供することができる。
【０２６５】
本発明の態様３２に係るサーバは、上記態様２７から３１において、上記条件付きサービスには、コンテンツのコピー、ボーナス要素を持つコンテンツ、アプリ、カレンダーの利用、付加的サービスに参加する権利の取得、およびギフトの取得の少なくとも何れかが含まれていてもよい。
【０２６６】
上記の構成によれば、サーバは、コンテンツのコピー、ボーナス要素を持つコンテンツ、アプリ、カレンダーの利用、付加的サービスに参加する権利の取得、およびギフトの取得といったサービスを提供することができる。
【０２６７】
本発明の態様３３に係るサービス提供システムは、光ディスクプレーヤ（１０ｅ）およびサーバ（７０、７０ａ、７０ｃ、７０ｄ）を備えるサービス提供システムであって、上記光ディスクプレーヤは、対象の光ディスクから、当該対象の光ディスクを他の光ディスクから識別する情報である光ディスク識別情報を取得する光ディスク識別情報取得部（ディスク情報取得部１１１）と、認証を条件とする条件付きサービスを提供するための認証用情報を取得する認証用情報取得部（操作信号取得部１１６）と、上記光ディスク識別情報および上記認証用情報をサーバに出力する情報出力部（認証リクエスト部１１４）と、上記サーバから認証結果を取得する認証結果取得部（１１５）と、上記認証結果が上記光ディスク識別情報および上記認証用情報が認証されたことを示す場合に、上記条件付きサービスを提供するサービス提供部（１１７）と、表示装置にオブジェクトを出力するオブジェクト出力部（表示制御部１１８）と、を備え、上記サービス提供部が外部機器を用いた上記条件付きサービスを提供開始するときに、上記オブジェクト出力部は、上記認証用情報の入力を促すオブジェクトを上記表示装置に表示させ、上記サーバは、上記光ディスク識別情報および上記認証用情報を取得する情報取得部（認証要求受付部７１１）と、上記情報取得部が取得した光ディスク識別情報および認証用情報を認証する認証部（７１２）と、上記認証部の認証結果を上記光ディスクプレーヤに出力する認証結果出力部（７１４）と、を備える。
【０２６８】
上記の構成によれば、上記態様２３に係る光ディスクプレーヤと、上記態様２７に係るサーバとを備えたサービス提供システムが実現できる。
【０２６９】
本発明の態様３４に係るサービス提供方法は、対象の光ディスクから、当該対象の光ディスクを他の光ディスクから識別する情報である光ディスク識別情報を取得する光ディスク識別情報取得工程と、認証を条件とする条件付きサービスを提供するための認証用情報を取得する認証用情報取得工程と、上記光ディスク識別情報および上記認証用情報の認証をサーバに出力する情報出力工程と、上記サーバから認証結果を取得する認証結果取得工程と、上記認証結果が上記光ディスク識別情報および上記認証用情報が認証されたことを示す場合に、上記条件付きサービスを提供するサービス提供工程と、表示装置にオブジェクトを出力するオブジェクト出力工程と、を含み、上記サービス提供工程において外部機器を用いた上記条件付きサービスを提供開始するときに、上記オブジェクト出力工程において、上記認証用情報の入力を促すオブジェクトを上記表示装置に表示させる。
【０２７０】
上記の構成によれば、サービス提供方法は、上記態様２３と同様の効果を奏する。
【０２７１】
本発明の態様３５に係るサービス提供方法は、対象の光ディスクを他の光ディスクから識別する情報である光ディスク識別情報と、認証を条件とする条件付きサービスを提供するための認証用情報であって、外部機器を用いたサービスを提供する光ディスクプレーヤが入力を促すことによって入力された認証用情報とを取得する情報取得工程と、上記情報取得工程において取得した光ディスク識別情報および認証用情報を認証する認証工程と、上記認証工程における認証結果を出力する認証結果出力工程と、を含む。
【０２７２】
上記の構成によれば、サービス提供方法は、上記態様２７と同様の効果を奏する。
【０２７３】
本発明の態様２３〜態様３２に係る光ディスクプレーヤ（１０ｅ）およびサーバ（７０、７０ａ、７０ｃ、７０ｄ）は、コンピュータによって実現してもよく、この場合には、コンピュータを上記光ディスクプレーヤおよびサーバが備える各部として動作させることにより上記光ディスクプレーヤおよびサーバをコンピュータにて実現させる光ディスクプレーヤおよびサーバの制御プログラム、およびそれを記録したコンピュータ読み取り可能な記録媒体も、本発明の範疇に入る。
【０２７４】
なお、本発明に係る光ディスクプレーヤは、以下のように表現することもできる。すなわち、本発明の別態様（態様３６）に係る光ディスクプレーヤ（１０ｆ）は、対象の光ディスクから、当該対象の光ディスクを他の光ディスクから識別する情報である光ディスク識別情報を取得する光ディスク識別情報取得部（ディスク情報取得部１１１）と、許諾を条件とする条件付きサービスを提供するための認証用情報を取得する認証用情報取得部（操作信号取得部１１６）と、上記光ディスク識別情報および上記認証用情報をサーバに出力する情報出力部（認証リクエスト部１１４）と、上記サーバから上記条件付きサービスの提供を許諾することを示す許諾結果を取得する許諾結果取得部（許諾結果取得部１３０）と、上記許諾結果取得部が許諾結果を取得した場合、上記条件付きサービスを提供するサービス提供部（１１７）と、表示装置にオブジェクトを出力するオブジェクト出力部（表示制御部１１８）と、を備え、上記オブジェクト出力部は、上記条件付きサービスを表す第５のオブジェクトと、上記許諾を条件としない通常サービスを表す第６のオブジェクトとを上記表示装置に出力する。
【０２７５】
上記の構成によれば、光ディスクプレーヤは、対象の光ディスクを他の光ディスクから識別する光ディスク識別情報に加えて、認証を条件とする条件付きサービスを提供するための認証用情報を取得し、光ディスク識別情報および認証用情報をサーバに出力する。そのため、光ディスクプレーヤは、条件付きサービスの不正利用をより効果的に排除することができる。さらに、光ディスクプレーヤは、条件付きサービスおよび通常サービスをユーザに提示する。そのため、光ディスクプレーヤは、条件付きサービスおよび通常サービスを比較させることができるうえに、条件付きサービスの提供を希望しないユーザには、認証用情報の入力を強いることがないので、不正なサービス利用をより効果的に排除しつつ、ユーザの利便性を向上させることができる。
【０２７６】
本発明の態様３７に係る光ディスクプレーヤは、上記態様３６において、上記情報出力部は、当該光ディスクプレーヤを他の光ディスクプレーヤから識別する情報である機器識別情報をさらに出力してもよい。
【０２７７】
上記の構成によれば、不正な光ディスクプレーヤが不正なサービスを提供することを防ぐことができる。
【０２７８】
本発明の態様３８に係る光ディスクプレーヤは、上記態様３６または３７において、上記許諾結果取得部が、上記許諾結果を取得していない場合、上記オブジェクト出力部は、上記第５のオブジェクトと上記第６のオブジェクトとを互いに第１の態様にて識別表示してもよい。
【０２７９】
上記の構成によれば、光ディスクプレーヤは、条件付きサービスの提供を許諾されていない場合は、第５のオブジェクトと第６のオブジェクトとを互いに識別表示する。そのため、そのため、光ディスクプレーヤは、現時点では条件付きサービスを提供できないことをユーザに通知することができる。
【０２８０】
本発明の態様３９に係る光ディスクプレーヤは、上記態様３８において、上記許諾結果取得部が、上記許諾結果を取得した場合、上記オブジェクト出力部は、上記識別表示を解除するまたは上記第１の態様とは異なる第２の態様にて識別表示してもよい。
【０２８１】
上記の構成によれば、光ディスクプレーヤは、条件付きサービスの提供を許諾されると、上記識別表示を解除する。そのため、光ディスクプレーヤは、条件付きサービスが提供できるようになったことをユーザに通知することができる。
【０２８２】
本発明の態様４０に係る光ディスクプレーヤは、上記態様３６〜３９において、上記オブジェクト出力部は、上記認証用情報の入力をユーザに促すオブジェクトである第７のオブジェクトを、上記表示装置にさらに表示させてもよい。
【０２８３】
上記の構成によれば、光ディスクプレーヤは、条件付きサービスを提供するための認証用情報の入力を、ユーザに促すことができる。
【０２８４】
本発明の態様４１に係る光ディスクプレーヤは、上記態様３６〜４０において、上記オブジェクト出力部は、上記条件付きサービスを提供する回数および提供可能な期間の少なくとも何れかを示すオブジェクトである第８のオブジェクトを、上記表示装置にさらに表示させてもよい。
【０２８５】
上記の構成によれば、光ディスクプレーヤは、条件付きサービスを提供する回数および提供可能な期間の少なくとも何れかを、ユーザに通知することができる。
【０２８６】
本発明の態様４２に係る光ディスクプレーヤは、上記態様３６〜４１において、上記オブジェクト出力部は、当該光ディスクを用いては提供できないサービスを示すオブジェクトである第９のオブジェクトを、上記表示装置にさらに表示させてもよい。
【０２８７】
上記の構成によれば、光ディスクプレーヤは、当該光ディスクでは提供できないサービスをユーザに通知することができる。
【０２８８】
本発明に態様４３に係るサーバ（サーバ７０ｆ）は、対象の光ディスクを他の光ディスクから識別する情報である光ディスク識別情報と、認証を条件とする条件付きサービスを利用するための認証用情報とを取得する情報取得部（認証要求受付部７１１）と、上記情報取得部が取得した光ディスク識別情報および認証用情報を認証する認証部（認証部７１２）と、上記認証部が認証した場合、上記条件付きサービスの利用を許諾することを示す許諾結果を出力する許諾結果出力部（許諾結果出力部７３０）と、上記光ディスク識別情報に関連付けられた条件付きサービスの内容、提供する回数、および提供する期間の少なくとも何れかを管理するサービス管理部（７１３）と、を備える。
【０２８９】
上記の構成によれば、サーバは、上記態様３６と同様の効果を奏する。
【０２９０】
本発明の態様４４に係るサーバは、上記態様４３において、上記情報取得部は、光ディスクプレーヤを他の光ディスクプレーヤから識別する情報である機器識別情報をさらに取得し、上記認証部は、上記情報取得部が取得した機器識別情報をさらに認証してもよい。
【０２９１】
上記の構成によれば、サーバは、上記態様３７と同様の効果を奏する。
【０２９２】
本発明の態様４５に係るサーバは、上記態様４３または４４において、上記認証部は、上記情報取得部が認証用情報を取得した時点が、所定の期間に含まれているか否かを認証してもよい。
【０２９３】
上記の構成によれば、サーバは、所定の期間を過ぎている場合は、認証しない。そのため、サーバは、不正なサービス利用をさらに効果的に排除することができる。
【０２９４】
本発明の態様４６に係るサーバは、上記態様４３〜４５において、光ディスク識別情報に対して、１または複数の認証用情報が予め関連付けられている、または、認証用情報に対して、１または複数の光ディスク識別情報が予め関連付けられていてもよい。
【０２９５】
上記の構成によれば、サーバは、光ディスク識別情報に対して、１または複数の認証用情報が予め関連付けられている場合、同一の光ディスク識別情報を付された光ディスクが装填されても、認証用情報毎に異なる条件付きサービスを提供することができる。また、サーバは、認証用情報に対して、１または複数の光ディスク識別情報が予め関連付けられている場合、１または複数の光ディスクを所有するユーザにのみ提供可能な条件付きサービスを、提供することができる。
【０２９６】
本発明の態様４７に係るサーバは、上記態様４３〜４６において、上記条件付きサービスには、コンテンツのコピー、ボーナス要素を持つコンテンツ、アプリ、カレンダーの利用、付加的サービスに参加する権利の取得、およびギフトの取得の少なくとも何れかが含まれていてもよい。
【０２９７】
上記の構成によれば、サーバは、コンテンツのコピー、ボーナス要素を持つコンテンツ、アプリ、カレンダーの利用、付加的サービスに参加する権利の取得、およびギフトの取得といったサービスを提供することができる。
【０２９８】
本発明の態様４８に係るサービス提供システム（１ｆ）は、光ディスクプレーヤ（１０ｆ）およびサーバ（７０ｆ）を備えるサービス提供システムであって、上記光ディスクプレーヤは、対象の光ディスクから、当該対象の光ディスクを他の光ディスクから識別する情報である光ディスク識別情報を取得する光ディスク識別情報取得部（ディスク情報取得部１１１）と、許諾を条件とする条件付きサービスを利用するための認証用情報を取得する認証用情報取得部（操作信号取得部１１６）と、上記光ディスク識別情報および上記認証用情報を上記サーバに出力する情報出力部（認証リクエスト部１１４）と、上記サーバから上記条件付きサービスの提供を許諾することを示す許諾結果を取得する許諾結果取得部（許諾結果取得部１３０）と、上記許諾結果取得部が許諾結果を取得した場合、上記条件付きサービスを提供するサービス提供部（１１７）と、表示装置にオブジェクトを出力するオブジェクト出力部（表示制御部１１８）と、を備え、上記オブジェクト出力部は、上記条件付きサービスを表す第５のオブジェクトと、上記許諾を条件としない通常サービスを表す第６のオブジェクトとを上記表示装置に出力し、上記サーバは、上記光ディスクプレーヤから、上記光ディスク識別情報および認証用情報を取得する情報取得部（認証要求受付部７１１）と、上記情報取得部が取得した光ディスク識別情報および認証用情報を認証する認証部（７１２）と、上記認証部が認証した場合、上記条件付きサービスの利用を許諾することを示す許諾結果を出力する許諾結果出力部（許諾結果出力部７３０）と、を備える。
【０２９９】
上記の構成によれば、サービス提供システムは、上記態様３６に係る光ディスクプレーやと上記態様４３に係るサーバとを備えたシステムを実現できる。
【０３００】
本発明の態様４９に係るサービス提供方法は、対象の光ディスクから、当該対象の光ディスクを他の光ディスクから識別する情報である光ディスク識別情報を取得する光ディスク識別情報取工程と、表示装置にオブジェクトを出力するオブジェクト出力工程と、許諾を条件とする条件付きサービスを提供するための認証用情報を取得する認証用情報取得工程と、上記光ディスク識別情報および上記認証用情報をサーバに出力する情報出力工程と、上記サーバから上記条件付きサービスの提供を許諾することを示す許諾結果を取得する許諾結果取得工程と、上記許諾結果取得工程において許諾結果を取得した場合、上記条件付きサービスを提供するサービス提供工程と、を含み、上記オブジェクト出力工程において、上記条件付きサービスを表す第１のオブジェクトと、上記許諾を条件としない通常サービスを表す第２のオブジェクトとを上記表示装置に出力する。
【０３０１】
上記の構成によれば、サービス提供システムは、上記態様３６に係る光ディスクプレーヤと同様の効果を奏する。
【０３０２】
本発明の態様５０に係るサービス提供方法は、対象の光ディスクを他の光ディスクから識別する情報である光ディスク識別情報に関連付けられた条件付きサービスの内容、提供する回数、および提供する期間の少なくとも何れかを管理するサービス管理工程と、上記光ディスク識別情報と、認証を条件とする条件付きサービスを利用するための認証用情報とを取得する情報取得工程と、上記情報取得工程において取得した光ディスク識別情報および認証用情報を認証する認証工程と、上記認証工程において認証した場合、上記条件付きサービスの利用を許諾することを示す許諾結果を出力する許諾結果出力工程と、を含む。
【０３０３】
上記の構成によれば、サービス提供システムは、上記態様４３に係るサーバと同様の効果を奏する。
【０３０４】
本発明の態様３６〜態様４７に係る光ディスクプレーヤ（１０ｆ）およびサーバ（７０ｆ）は、コンピュータによって実現してもよく、この場合には、コンピュータを上記光ディスクプレーヤおよびサーバが備える各部として動作させることにより上記光ディスクプレーヤおよびサーバをコンピュータにて実現させる光ディスクプレーヤおよびサーバの制御プログラム、およびそれを記録したコンピュータ読み取り可能な記録媒体も、本発明の範疇に入る。
【０３０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３０６】
本発明は、光ディスクを用いて条件付きサービスを提供するサービス提供システムに利用することができる。
【符号の説明】
【０３０７】
１、１ａ、１ｂ、１ｃ、１ｄ、１ｅ、１ｆ  サービス提供システム
１０、１０ａ、１０ｂ、１０ｃ、１０ｄ、１０ｅ、１０ｆ  光ディスクプレーヤ
１１  ＣＰＵ
１２  メモリ
１３  ＨＤＤ（記憶部）
１４  通信Ｉ／Ｆ
１５  ＨＤＭＩ  Ｉ／Ｆ
１６  光ディスクドライブ
１７  ＵＳＢ  Ｉ／Ｆ
１８  リモコン受光部
２０  光ディスク
３０  モニタ
４０  ルータ
５０  ＰＣ
６０  携帯端末
７０、７０ａ、７０ｃ、７０ｄ、７０ｆ  サーバ
１１１  ディスク情報取得部（光ディスク識別情報取得部）
１１２  ディスクＩＤ管理部
１１３  リデンプションコード管理部（管理部）
１１４  認証リクエスト部（認証要求部）
１１５  認証結果取得部
１１６  操作信号取得部（認証用情報取得部、操作受付部）
１１７  サービス提供部
１１８  表示制御部（オブジェクト出力部）
１１９  外部機器管理部（外部機器情報取得部、外部機器検出部）
１３０  許諾結果取得部
７１１  認証要求受付部
７１２  認証部
７１３  サービス管理部
７１４  認証結果出力部
７１５  コンテンツ出力要求受付部
７１６  コンテンツ出力部
７３０  許諾結果出力部
【図１】
2016091472.tif 000003
【図２】
2016091472.tif 000004
【図３】
2016091472.tif 000005
【図４】
2016091472.tif 000006
【図５】
2016091472.tif 000007
【図６】
2016091472.tif 000008
【図７】
2016091472.tif 000009
【図８】
2016091472.tif 000010
【図９】
2016091472.tif 000011
【図１０】
2016091472.tif 000012
【図１１】
2016091472.tif 000013
【図１２】
2016091472.tif 000014
【図１３】
2016091472.tif 000015
【図１４】
2016091472.tif 000016
【図１５】
2016091472.tif 000017
【図１６】
2016091472.tif 000018
【図１７】
2016091472.tif 000019
【図１８】
2016091472.tif 000020
【図１９】
2016091472.tif 000021
【図２０】
2016091472.tif 000022
【図２１】
2016091472.tif 000023
【図２２】
2016091472.tif 000024